(57)【要約】  本願の実施例は無線通信方法及び装置を提供し、周波数ホッピングを５Ｇシステムの柔軟な伝送に適合させることができる。該方法は、ネットワーク装置は端末が第１信号の伝送時に周波数ホッピングを行う時間間隔閾値、端末が第１信号の伝送を行う時に用いるベースパラメータセット、及びスロット又はミニスロットの構成のうちの１つを決定することと、ネットワーク装置が時間間隔閾値、ベースパラメータセット及びスロット又はミニスロットの構成のうちの少なくとも１つに基づいて第１情報を送信し、第１情報は端末が第１信号の伝送を行う時に周波数ホッピングするか周波数ホッピングしないかを指示することと、を含む。
2021501489.tif 000002
【特許請求の範囲】
【請求項１】
ネットワーク装置は、端末が第１信号の伝送時に周波数ホッピングを行う時間間隔閾値、前記端末が前記第１信号の伝送を行う時に用いるベースパラメータセット、及びスロット又はミニスロットの構成のうちの１つを決定することと、
前記ネットワーク装置は、前記時間間隔閾値、前記ベースパラメータセット及び前記スロット又はミニスロットの構成のうちの少なくとも１つに基づいて第１情報を送信し、前記第１情報は前記端末が前記第１信号の伝送を行う時に周波数ホッピングするか周波数ホッピングしないかを指示することと、を含むことを特徴とする無線通信方法。
【請求項２】
前記ネットワーク装置が前記時間間隔閾値、前記ベースパラメータセット及び前記スロット又はミニスロットの構成のうちの少なくとも１つに基づいて第１情報を送信することは、
前記ベースパラメータセットに含まれるサブキャリア間隔及び／又はシンボル長さに基づいて、前記第１情報を送信することを含むことを特徴とする請求項１に記載の方法。
【請求項３】
前記ベースパラメータセットに含まれるサブキャリア間隔及び／又はシンボル長さに基づいて、前記第１情報を送信することは、
前記サブキャリア間隔が第１閾値以上であり、及び／又は前記シンボル長さが第２閾値以下である場合、前記第１情報を送信し、前記第１情報は周波数ホッピングしないことを指示することを含むことを特徴とする請求項２に記載の方法。
【請求項４】
前記ベースパラメータセットに含まれるサブキャリア間隔及び／又はシンボル長さに基づいて、前記第１情報を送信することは、
前記サブキャリア間隔が第１閾値より小さく、及び／又は前記シンボル長さが第２閾値より大きい場合、前記第１情報を送信し、前記第１情報は周波数ホッピングすることを指示することを含むことを特徴とする請求項２に記載の方法。
【請求項５】
前記ネットワーク装置が前記時間間隔閾値、前記ベースパラメータセット及び前記スロット又はミニスロットの構成のうちの少なくとも１つに基づいて第１情報を送信することは、
前記スロット又はミニスロットの長さが第３閾値以上である場合、前記第１情報を送信し、前記第１情報は周波数ホッピングすることを指示することを含むことを特徴とする請求項１に記載の方法。
【請求項６】
前記ネットワーク装置が前記時間間隔閾値、前記ベースパラメータセット及び前記スロット又はミニスロットの構成のうちの少なくとも１つに基づいて第１情報を送信することは、
前記スロット又はミニスロットの長さが第３閾値より小さい場合、前記第１情報を送信し、前記第１情報は周波数ホッピングしないことを指示することを含むことを特徴とする請求項１に記載の方法。
【請求項７】
前記ネットワーク装置が前記時間間隔閾値、前記ベースパラメータセット及び前記スロット又はミニスロットの構成のうちの少なくとも１つに基づいて第１情報を送信することは、
第１時間長さが前記時間間隔閾値以下である場合、前記第１情報を送信し、前記第１情報は周波数ホッピングしないことを指示し、前記第１時間長さは周波数ホッピング時間ノードの前の信号伝送時間長さ、又は周波数ホッピング時間ノードの後の信号伝送時間長さ、又は周波数ホッピング時間ノードの前と後の信号伝送時間長さの和であることを含むことを特徴とする請求項１に記載の方法。
【請求項８】
前記ネットワーク装置が前記時間間隔閾値、前記ベースパラメータセット及び前記スロット又はミニスロットの構成のうちの少なくとも１つに基づいて第１情報を送信することは、
第１時間長さが前記時間間隔閾値より大きい場合、前記第１情報を送信し、前記第１情報は周波数ホッピングすることを指示し、前記第１時間長さは周波数ホッピング時間ノードの前の信号伝送時間長さ、又は周波数ホッピング時間ノードの後の信号伝送時間長さ、又は周波数ホッピング時間ノードの前と後の信号伝送時間長さの和であることを含むことを特徴とする請求項１に記載の方法。
【請求項９】
前記ネットワーク装置は端末が第１信号の伝送時に周波数ホッピングを行う時間間隔閾値を決定することは、
前記ネットワーク装置が時間間隔閾値集合から前記時間間隔閾値を選択することを含むことを特徴とする請求項１又は７又は８に記載の方法。
【請求項１０】
前記ネットワーク装置が時間間隔閾値集合から前記時間間隔閾値を選択することは、
前記端末が前記第１信号の伝送を行う時に用いるベースパラメータセットに基づいて、前記時間間隔閾値集合から前記時間間隔閾値を選択することを含むことを特徴とする請求項９に記載の方法。
【請求項１１】
前記ネットワーク装置が前記端末から送信された、前記時間間隔閾値を指示するための第２情報を受信することを更に含むことを特徴とする請求項１又は７又は８に記載の方法。
【請求項１２】
前記第１信号は物理アップリンク共有チャネル（ＰＵＳＣＨ）又はサウンディング参照信号（ＳＲＳ）であることを特徴とする請求項１〜１１のいずれか１項に記載の方法。
【請求項１３】
端末はネットワーク装置から送信された、前記端末が前記第１信号の伝送を行う時に周波数ホッピングすることを指示するための第１情報を受信することと、
前記第１情報に応答して、前記端末は前記第１信号の伝送を行う時に周波数ホッピングするか否かを決定することと、を含むことを特徴とする無線通信方法。
【請求項１４】
前記端末が前記第１信号の伝送を行う時に周波数ホッピングするか否かを決定することは、
前記端末は、前記第１信号の伝送時に周波数ホッピングを行う時間間隔閾値、前記端末が前記第１信号の伝送を行う時に用いるベースパラメータセット、及びスロット又はミニスロットの構成のうちの１つに基づいて、前記第１信号の伝送を行う時に周波数ホッピングするか否かを決定することを含むことを特徴とする請求項１３に記載の方法。
【請求項１５】
前記端末は、前記第１信号の伝送時に周波数ホッピングを行う時間間隔閾値、前記端末が前記第１信号の伝送を行う時に用いるベースパラメータセット、及びスロット又はミニスロットの構成のうちの１つに基づいて、前記第１信号の伝送を行う時に周波数ホッピングするか否かを決定することは、
前記ベースパラメータセットに含まれるサブキャリア間隔及び／又はシンボル長さに基づいて、前記端末は前記第１信号の伝送を行う時に周波数ホッピングを行うか否かを決定することを含むことを特徴とする請求項１４に記載の方法。
【請求項１６】
前記ベースパラメータセットに含まれるサブキャリア間隔及び／又はシンボル長さに基づいて、前記端末は前記第１信号の伝送を行う時に周波数ホッピングを行うか否かを決定することは、
前記サブキャリア間隔が第１閾値以上であり、及び／又は前記シンボル長さが第２閾値以下である場合、前記端末は前記第１信号の伝送を行う時に周波数ホッピングしないことを決定すること、又は、
前記サブキャリア間隔が第１閾値より小さく、及び／又は前記シンボル長さが第２閾値より大きい場合、前記端末は前記第１信号の伝送を行う時に周波数ホッピングすることを決定することを含むことを特徴とする請求項１５に記載の方法。
【請求項１７】
前記端末は前記第１信号の伝送時に周波数ホッピングを行う時間間隔閾値、前記端末が前記第１信号の伝送を行う時に用いるベースパラメータセット、及びスロット又はミニスロットの構成のうちの１つに基づいて、前記第１信号の伝送を行う時に周波数ホッピングするか否かを決定することは、
前記スロット又はミニスロットの長さが第３閾値以上である場合、前記端末が前記第１信号の伝送を行う時に周波数ホッピングすることを決定することを含むことを特徴とする請求項１５に記載の方法。
【請求項１８】
前記端末は前記第１信号の伝送時に周波数ホッピングを行う時間間隔閾値、前記端末が前記第１信号の伝送を行う時に用いるベースパラメータセット、及びスロット又はミニスロットの構成のうちの１つに基づいて、前記第１信号の伝送を行う時に周波数ホッピングするか否かを決定することは、
前記スロット又はミニスロットの長さが第３閾値より小さい場合、前記端末は前記第１信号の伝送を行う時に周波数ホッピングしないことを決定することを含むことを特徴とする請求項１４に記載の方法。
【請求項１９】
前記端末は第１信号の伝送時に周波数ホッピングを行う時間間隔閾値、前記端末が前記第１信号の伝送を行う時に用いるベースパラメータセット、及びスロット又はミニスロットの構成のうちの１つに基づいて、前記第１信号の伝送を行う時に周波数ホッピングするか否かを決定することは、
第１時間長さが前記時間間隔閾値以下である場合、前記端末は前記第１信号の伝送を行う時に周波数ホッピングしないことを決定し、前記第１時間長さは周波数ホッピング時間ノードの前の信号伝送時間長さ、又は周波数ホッピング時間ノードの後の信号伝送時間長さ、又は周波数ホッピング時間ノードの前と後の信号伝送時間長さの和であることを含むことを特徴とする請求項１４に記載の方法。
【請求項２０】
前記端末は第１信号の伝送時に周波数ホッピングを行う時間間隔閾値、前記端末が前記第１信号の伝送を行う時に用いるベースパラメータセット、及びスロット又はミニスロットの構成のうちの１つに基づいて、前記第１信号の伝送を行う時に周波数ホッピングするか否かを決定することは、
第１時間長さが前記時間間隔閾値より大きい場合、前記端末は前記第１信号の伝送を行う時に周波数ホッピングすることを決定し、前記第１時間長さは周波数ホッピング時間ノードの前の信号伝送時間長さ、又は周波数ホッピング時間ノードの後の信号伝送時間長さ、又は周波数ホッピング時間ノードの前と後の信号伝送時間長さの和であることを含むことを特徴とする請求項１４に記載の方法。
【請求項２１】
前記端末は前記時間間隔閾値を指示するための第２情報を前記ネットワーク装置に送信することを更に含むことを特徴とする請求項１４又は１９又は２０に記載の方法。
【請求項２２】
前記第１信号は物理アップリンク共有チャネル（ＰＵＳＣＨ）又はサウンディング参照信号（ＳＲＳ）であることを特徴とする請求項１３〜２１のいずれか１項に記載の方法。
【請求項２３】
ネットワーク装置は、端末がアップリンク送信アンテナを切り替える時間間隔閾値、前記端末がアップリンク送信アンテナで信号を送信する時に用いるベースパラメータセット及びスロット又はミニスロットの構成のうちの少なくとも１つを決定することと、
前記ネットワーク装置は、前記時間間隔閾値、前記ベースパラメータセット及び前記スロット又はミニスロットの構成のうちの少なくとも１つに基づいて第１情報を送信して、前記端末が前記アップリンク送信アンテナの切り替えを行うか行わないかを指示することと、を含むことを特徴とする無線通信方法。
【請求項２４】
前記ネットワーク装置は前記時間間隔閾値、前記ベースパラメータセット及び前記スロット又はミニスロットの構成のうちの少なくとも１つに基づいて第１情報を送信して、前記端末が前記アップリンク送信アンテナの切り替えを行うか行わないかを指示することは、
前記ベースパラメータセットに含まれるサブキャリア間隔及び／又はシンボル長さに基づいて、前記第１情報を送信することを含むことを特徴とする請求項２３に記載の方法。
【請求項２５】
前記ベースパラメータセットに含まれるサブキャリア間隔及び／又はシンボル長さに基づいて、前記第１情報を送信することは、
前記サブキャリア間隔が第１閾値以上であり、及び／又は前記シンボル長さが第２閾値以下である場合、前記第１情報を送信し、前記第１情報は前記アップリンク送信アンテナの切り替えを行わないことを指示することを含むことを特徴とする請求項２４に記載の方法。
【請求項２６】
前記ベースパラメータセットに含まれるサブキャリア間隔及び／又はシンボル長さに基づいて、前記第１情報を送信することは、
前記サブキャリア間隔が第１閾値より小さく、及び／又は前記シンボル長さが第２閾値より大きい場合、前記第１情報を送信し、前記第１情報は前記アップリンク送信アンテナの切り替えを行うことを指示することを含むことを特徴とする請求項２４に記載の方法。
【請求項２７】
前記ネットワーク装置は前記時間間隔閾値、前記ベースパラメータセット及び前記スロット又はミニスロットの構成のうちの少なくとも１つに基づいて第１情報を送信して、前記端末が前記アップリンク送信アンテナの切り替えを行うか行わないかを指示することは、
前記スロット又はミニスロットの長さが第３閾値以上である場合、前記ネットワーク装置は前記アップリンク送信アンテナの切り替えを行うことを指示する前記第１情報を送信することを含むことを特徴とする請求項２３に記載の方法。
【請求項２８】
前記ネットワーク装置は前記時間間隔閾値、前記ベースパラメータセット及び前記スロット又はミニスロットの構成のうちの少なくとも１つに基づいて第１情報を送信して、前記端末が前記アップリンク送信アンテナの切り替えを行うか行わないかを指示することは、
前記スロット又はミニスロットの長さが第３閾値より小さい場合、前記ネットワーク装置は前記アップリンク送信アンテナの切り替えを行わないことを指示する前記第１情報を送信することを含むことを特徴とする請求項２３に記載の方法。
【請求項２９】
前記ネットワーク装置は前記時間間隔閾値、前記ベースパラメータセット及び前記スロット又はミニスロットの構成のうちの少なくとも１つに基づいて第１情報を送信して、前記端末が前記アップリンク送信アンテナの切り替えを行うか行わないかを指示することは、
第１時間長さが前記時間間隔閾値以上である場合、前記第１情報を送信し、前記第１情報は前記アップリンク送信アンテナの切り替えを行うことを指示し、前記第１時間長さは切り替え時間ノードの前の時間長さ、切り替え時間ノードの後の時間長さ又は切り替え時間ノードの前と後の時間長さの和に等しいことを含むことを特徴とする請求項２３に記載の方法。
【請求項３０】
前記ネットワーク装置は前記時間間隔閾値、前記ベースパラメータセット及び前記スロット又はミニスロットの構成のうちの少なくとも１つに基づいて第１情報を送信して、前記端末が前記アップリンク送信アンテナの切り替えを行うか行わないかを指示することは、
第１時間長さが前記時間間隔閾値より小さい場合、前記第１情報を送信し、前記第１情報は前記アップリンク送信アンテナの切り替えを行わないことを指示し、前記第１時間長さは切り替え時間ノードの前の時間長さ、切り替え時間ノードの後の時間長さ又は切り替え時間ノードの前と後の時間長さの和に等しいことを含むことを特徴とする請求項２３に記載の方法。
【請求項３１】
前記ネットワーク装置は端末がアップリンク送信アンテナを切り替える時間間隔閾値を決定することは、
前記ネットワーク装置が時間間隔閾値集合から前記時間間隔閾値を選択することを含むことを特徴とする請求項２３又は２９又は３０に記載の方法。
【請求項３２】
前記ネットワーク装置が時間間隔閾値集合から前記時間間隔閾値を選択することは、
前記端末がアップリンク送信アンテナで信号を送信する時に用いるベースパラメータセットに基づいて、前記時間間隔閾値集合から前記時間間隔閾値を選択することを含むことを特徴とする請求項３１に記載の方法。
【請求項３３】
前記ネットワーク装置は前記端末から送信された、前記時間間隔閾値を指示するための第２情報を受信することを更に含むことを特徴とする請求項２３又は２９又は３０に記載の方法。
【請求項３４】
端末はネットワーク装置から送信された、前記端末が前記アップリンク送信アンテナの切り替えを行うことを指示するための第１情報を受信することと、
前記第１情報に応答して、前記端末は前記アップリンク送信アンテナの切り替えを行うか否かを決定することと、を含むことを特徴とする無線通信方法。
【請求項３５】
前記端末は前記アップリンク送信アンテナの切り替えを行うか否かを決定することは、
前記端末は、前記アップリンク送信アンテナを切り替える時間間隔閾値、前記端末がアップリンク送信アンテナで信号を送信する時に用いるベースパラメータセット及びスロット又はミニスロットの構成のうちの少なくとも１つに基づいて、前記アップリンク送信アンテナの切り替えを行うか否かを決定することを含むことを特徴とする請求項３４に記載の方法。
【請求項３６】
前記端末は前記アップリンク送信アンテナを切り替える時間間隔閾値、前記端末がアップリンク送信アンテナで信号を送信する時に用いるベースパラメータセット及びスロット又はミニスロットの構成のうちの少なくとも１つに基づいて、前記アップリンク送信アンテナの切り替えを行うか否かを決定することは、
前記ベースパラメータセットに含まれるサブキャリア間隔及び／又はシンボル長さに基づいて、前記アップリンク送信アンテナの切り替えを行うか否かを決定することを含むことを特徴とする請求項３５に記載の方法。
【請求項３７】
前記ベースパラメータセットに含まれるサブキャリア間隔及び／又はシンボル長さに基づいて、前記アップリンク送信アンテナの切り替えを行うか否かを決定することは、
前記サブキャリア間隔が第１閾値以上であり、及び／又は前記シンボル長さが第２閾値以下である場合、前記アップリンク送信アンテナの切り替えを行わないことを決定すること、又は、
前記サブキャリア間隔が第１閾値より小さく、及び／又は前記シンボル長さが第２閾値より大きい場合、前記アップリンク送信アンテナの切り替えを行うことを決定することを含むことを特徴とする請求項３６に記載の方法。
【請求項３８】
前記端末は前記アップリンク送信アンテナを切り替える時間間隔閾値、前記端末がアップリンク送信アンテナで信号を送信する時に用いるベースパラメータセット及びスロット又はミニスロットの構成のうちの少なくとも１つに基づいて、前記アップリンク送信アンテナの切り替えを行うか否かを決定することは、
前記スロット又はミニスロットの長さが第３閾値以上である場合、前記ネットワーク装置は前記第１情報を送信し、前記端末は前記アップリンク送信アンテナの切り替えを行うことを決定することを含むことを特徴とする請求項３５に記載の方法。
【請求項３９】
前記端末は前記アップリンク送信アンテナを切り替える時間間隔閾値、前記端末がアップリンク送信アンテナで信号を送信する時に用いるベースパラメータセット及びスロット又はミニスロットの構成のうちの少なくとも１つに基づいて、前記アップリンク送信アンテナの切り替えを行うか否かを決定することは、
前記スロット又はミニスロットの長さが第３閾値より小さい場合、前記端末は前記アップリンク送信アンテナの切り替えを行わないことを決定することを含むことを特徴とする請求項３５に記載の方法。
【請求項４０】
前記端末は前記アップリンク送信アンテナを切り替える時間間隔閾値、前記端末がアップリンク送信アンテナで信号を送信する時に用いるベースパラメータセット及びスロット又はミニスロットの構成のうちの少なくとも１つに基づいて、前記アップリンク送信アンテナの切り替えを行うか否かを決定することは、
第１時間長さが前記時間間隔閾値以上である場合、前記アップリンク送信アンテナの切り替えを行うことを決定すること、又は、
前記第１時間長さが前記時間間隔閾値より小さい場合、前記アップリンク送信アンテナの切り替えを行わないことを決定し、前記第１時間長さは切り替え時間ノードの前の時間長さ、切り替え時間ノードの後の時間長さ又は切り替え時間ノードの前と後の時間長さの和に等しいことを含むことを特徴とする請求項３５に記載の方法。
【請求項４１】
前記端末は前記時間間隔閾値を指示するための第２情報を前記ネットワーク装置に送信することを更に含むことを特徴とする請求項３４又は４０に記載の方法。
【請求項４２】
ネットワーク装置であって、処理ユニットと通信ユニットとを備え、
前記処理ユニットは、端末が第１信号の伝送時に周波数ホッピングを行う時間間隔閾値、前記端末が前記第１信号の伝送を行う時に用いるベースパラメータセット、及びスロット又はミニスロットの構成のうちの１つを決定することに用いられ、
前記通信ユニットは、前記時間間隔閾値、前記ベースパラメータセット及び前記スロット又はミニスロットの構成のうちの少なくとも１つに基づいて、前記端末が前記第１信号の伝送を行う時に周波数ホッピングするか周波数ホッピングしないかを指示する第１情報を送信することに用いられることを特徴とするネットワーク装置。
【請求項４３】
前記通信ユニットは更に、
前記ベースパラメータセットに含まれるサブキャリア間隔及び／又はシンボル長さに基づいて、前記第１情報を送信することに用いられることを特徴とする請求項４２に記載の装置。
【請求項４４】
前記通信ユニットは更に、
前記サブキャリア間隔が第１閾値以上であり、及び／又は前記シンボル長さが第２閾値以下である場合、周波数ホッピングしないことを指示する前記第１情報を送信することに用いられることを特徴とする請求項４３に記載の装置。
【請求項４５】
前記通信ユニットは更に、
前記サブキャリア間隔が第１閾値より小さく、及び／又は前記シンボル長さが第２閾値より大きい場合、周波数ホッピングすることを指示する前記第１情報を送信することに用いられることを特徴とする請求項４３に記載の装置。
【請求項４６】
前記通信ユニットは更に、
前記スロット又はミニスロットの長さが第３閾値以上である場合、周波数ホッピングすることを指示する前記第１情報を送信することに用いられることを特徴とする請求項４２に記載の装置。
【請求項４７】
前記通信ユニットは更に、
前記スロット又はミニスロットの長さが第３閾値より小さい場合、周波数ホッピングしないことを指示する前記第１情報を送信することに用いられることを特徴とする請求項４２に記載の装置。
【請求項４８】
前記通信ユニットは更に、
第１時間長さが前記時間間隔閾値以下である場合、周波数ホッピングしないことを指示する前記第１情報を送信することに用いられ、前記第１時間長さは周波数ホッピング時間ノードの前の信号伝送時間長さ、又は周波数ホッピング時間ノードの後の信号伝送時間長さ、又は周波数ホッピング時間ノードの前と後の信号伝送時間長さの和であることを特徴とする請求項４２に記載の装置。
【請求項４９】
前記通信ユニットは更に、
第１時間長さが前記時間間隔閾値より大きい場合、周波数ホッピングすることを指示する前記第１情報を送信することに用いられ、前記第１時間長さは周波数ホッピング時間ノードの前の信号伝送時間長さ、又は周波数ホッピング時間ノードの後の信号伝送時間長さ、又は周波数ホッピング時間ノードの前と後の信号伝送時間長さの和であることを特徴とする請求項４２に記載の装置。
【請求項５０】
前記処理ユニットは更に、
時間間隔閾値集合から前記時間間隔閾値を選択することに用いられることを特徴とする請求項４２又は４８又は４９に記載の装置。
【請求項５１】
前記処理ユニットは更に、
前記端末が前記第１信号の伝送を行う時に用いるベースパラメータセットに基づいて、前記時間間隔閾値集合から前記時間間隔閾値を選択することに用いられることを特徴とする請求項５０に記載の装置。
【請求項５２】
前記通信ユニットは更に、
前記端末から送信された、前記時間間隔閾値を指示するための第２情報を受信することに用いられることを特徴とする請求項４２又は４８又は４９に記載の装置。
【請求項５３】
前記第１信号は物理アップリンク共有チャネル（ＰＵＳＣＨ）又はサウンディング参照信号（ＳＲＳ）であることを特徴とする請求項４２〜５２のいずれか１項に記載の装置。
【請求項５４】
端末であって、通信ユニットと処理ユニットとを備え、
前記通信ユニットは、ネットワーク装置から送信された、前記端末が前記第１信号の伝送を行う時に周波数ホッピングすることを指示するための第１情報を受信することに用いられ、
前記処理ユニットは、前記第１情報に応答して、前記第１信号の伝送を行う時に周波数ホッピングするか否かを決定することに用いられることを特徴とする端末。
【請求項５５】
前記処理ユニットは更に、
前記第１信号の伝送時に周波数ホッピングを行う時間間隔閾値、前記端末が前記第１信号の伝送を行う時に用いるベースパラメータセット、及びスロット又はミニスロットの構成のうちの１つに基づいて、前記第１信号の伝送を行う時に周波数ホッピングするか否かを決定することに用いられることを特徴とする請求項５４に記載の端末。
【請求項５６】
前記処理ユニットは更に、
前記ベースパラメータセットに含まれるサブキャリア間隔及び／又はシンボル長さに基づいて、前記第１信号の伝送を行う時に周波数ホッピングを行うか否かを決定することに用いられることを特徴とする請求項５５に記載の端末。
【請求項５７】
前記処理ユニットは更に、
前記サブキャリア間隔が第１閾値以上であり、及び／又は前記シンボル長さが第２閾値以下である場合、前記第１信号の伝送を行う時に周波数ホッピングしないことを決定すること、又は、
前記サブキャリア間隔が第１閾値より小さく、及び／又は前記シンボル長さが第２閾値より大きい場合、前記第１信号の伝送を行う時に周波数ホッピングすることを決定することに用いられることを特徴とする請求項５６に記載の端末。
【請求項５８】
前記処理ユニットは更に、
前記スロット又はミニスロットの長さが第３閾値以上である場合、前記第１信号の伝送を行う時に周波数ホッピングすることを決定することに用いられることを特徴とする請求項５６に記載の端末。
【請求項５９】
前記処理ユニットは更に、
前記スロット又はミニスロットの長さが第３閾値より小さい場合、前記第１信号の伝送を行う時に周波数ホッピングしないことを決定することに用いられることを特徴とする請求項５５に記載の端末。
【請求項６０】
前記処理ユニットは更に、
第１時間長さが前記時間間隔閾値以下である場合、前記第１信号の伝送を行う時に周波数ホッピングしないことを決定することに用いられ、前記第１時間長さは周波数ホッピング時間ノードの前の信号伝送時間長さ、又は周波数ホッピング時間ノードの後の信号伝送時間長さ、又は周波数ホッピング時間ノードの前と後の信号伝送時間長さの和であることを特徴とする請求項５５に記載の端末。
【請求項６１】
前記処理ユニットは更に、
第１時間長さが前記時間間隔閾値より大きい場合、前記第１信号の伝送を行う時に周波数ホッピングすることを決定することに用いられ、前記第１時間長さは周波数ホッピング時間ノードの前の信号伝送時間長さ、又は周波数ホッピング時間ノードの後の信号伝送時間長さ、又は周波数ホッピング時間ノードの前と後の信号伝送時間長さの和であることを特徴とする請求項５５に記載の端末。
【請求項６２】
前記通信ユニットは更に、
前記時間間隔閾値を指示するための第２情報を前記ネットワーク装置に送信することに用いられることを特徴とする請求項５５又は６０又は６１に記載の端末。
【請求項６３】
前記第１信号は物理アップリンク共有チャネル（ＰＵＳＣＨ）又はサウンディング参照信号（ＳＲＳ）であることを特徴とする請求項５４〜６２のいずれか１項に記載の端末。
【請求項６４】
ネットワーク装置であって、処理ユニットと通信ユニットとを備え、
前記処理ユニットは、端末がアップリンク送信アンテナを切り替える時間間隔閾値、前記端末がアップリンク送信アンテナで信号を送信する時に用いるベースパラメータセット及びスロット又はミニスロットの構成のうちの少なくとも１つを決定することに用いられ、
前記通信ユニットは、前記時間間隔閾値、前記ベースパラメータセット及び前記スロット又はミニスロットの構成のうちの少なくとも１つに基づいて第１情報を送信して、前記端末が前記アップリンク送信アンテナの切り替えを行うか行わないかを指示することに用いられることを特徴とするネットワーク装置。
【請求項６５】
前記通信ユニットは更に、
前記ベースパラメータセットに含まれるサブキャリア間隔及び／又はシンボル長さに基づいて、前記第１情報を送信することに用いられることを特徴とする請求項６４に記載の装置。
【請求項６６】
前記通信ユニットは更に、
前記サブキャリア間隔が第１閾値以上であり、及び／又は前記シンボル長さが第２閾値以下である場合、前記アップリンク送信アンテナの切り替えを行わないことを指示する前記第１情報を送信することに用いられることを特徴とする請求項６５に記載の装置。
【請求項６７】
前記通信ユニットは更に、
前記サブキャリア間隔が第１閾値より小さく、及び／又は前記シンボル長さが第２閾値より大きい場合、前記アップリンク送信アンテナの切り替えを行うことを指示する前記第１情報を送信することに用いられることを特徴とする請求項６５に記載の装置。
【請求項６８】
前記通信ユニットは更に、
前記スロット又はミニスロットの長さが第３閾値以上である場合、前記アップリンク送信アンテナの切り替えを行うことを指示する前記第１情報を送信することに用いられることを特徴とする請求項６４に記載の装置。
【請求項６９】
前記通信ユニットは更に、
前記スロット又はミニスロットの長さが第３閾値より小さい場合、前記アップリンク送信アンテナの切り替えを行わないことを指示する前記第１情報を送信することに用いられることを特徴とする請求項６４に記載の装置。
【請求項７０】
前記通信ユニットは更に、
第１時間長さが前記時間間隔閾値以上である場合、前記アップリンク送信アンテナの切り替えを行うことを指示する前記第１情報を送信することに用いられ、前記第１時間長さは切り替え時間ノードの前の時間長さ、切り替え時間ノードの後の時間長さ又は切り替え時間ノードの前と後の時間長さの和に等しいことを特徴とする請求項６４に記載の装置。
【請求項７１】
前記通信ユニットは更に、
第１時間長さが前記時間間隔閾値より小さい場合、前記アップリンク送信アンテナの切り替えを行わないことを指示する前記第１情報を送信することに用いられ、前記第１時間長さは切り替え時間ノードの前の時間長さ、切り替え時間ノードの後の時間長さ又は切り替え時間ノードの前と後の時間長さの和に等しいことを特徴とする請求項６４に記載の装置。
【請求項７２】
前記処理ユニットは更に、
時間間隔閾値集合から前記時間間隔閾値を選択することに用いられることを特徴とする請求項６４又は７０又は７１に記載の装置。
【請求項７３】
前記処理ユニットは更に、
前記端末がアップリンク送信アンテナで信号を送信する時に用いるベースパラメータセットに基づいて、前記時間間隔閾値集合から前記時間間隔閾値を選択することに用いられることを特徴とする請求項７２に記載の装置。
【請求項７４】
前記通信ユニットは更に、
前記端末から送信された、前記時間間隔閾値を指示するための第２情報を受信することに用いられることを特徴とする請求項６４又は７０又は７１に記載の装置。
【請求項７５】
端末であって、通信ユニットと処理ユニットとを備え、
前記通信ユニットは、ネットワーク装置から送信された、前記端末が前記アップリンク送信アンテナの切り替えを行うことを指示するための第１情報を受信することに用いられ、
前記処理ユニットは、前記第１情報に応答して、前記アップリンク送信アンテナの切り替えを行うか否かを決定することに用いられることを特徴とする端末。
【請求項７６】
前記処理ユニットは更に、
前記アップリンク送信アンテナを切り替える時間間隔閾値、前記端末がアップリンク送信アンテナで信号を送信する時に用いるベースパラメータセット及びスロット又はミニスロットの構成のうちの少なくとも１つに基づいて、前記アップリンク送信アンテナの切り替えを行うか否かを決定することに用いられることを特徴とする請求項７５に記載の端末。
【請求項７７】
前記処理ユニットは更に、
前記ベースパラメータセットに含まれるサブキャリア間隔及び／又はシンボル長さに基づいて、前記アップリンク送信アンテナの切り替えを行うか否かを決定することに用いられることを特徴とする請求項７６に記載の端末。
【請求項７８】
前記処理ユニットは更に、
前記サブキャリア間隔が第１閾値以上であり、及び／又は前記シンボル長さが第２閾値以下である場合、前記アップリンク送信アンテナの切り替えを行わないことを決定すること、又は、
前記サブキャリア間隔が第１閾値より小さく、及び／又は前記シンボル長さが第２閾値より大きい場合、前記アップリンク送信アンテナの切り替えを行うことを決定することに用いられることを特徴とする請求項７７に記載の端末。
【請求項７９】
前記処理ユニットは更に、
前記スロット又はミニスロットの長さが第３閾値以上である場合、前記アップリンク送信アンテナの切り替えを行うことを決定することに用いられることを特徴とする請求項７６に記載の端末。
【請求項８０】
前記処理ユニットは更に、
前記スロット又はミニスロットの長さが第３閾値より小さい場合、前記ネットワーク装置が前記第１情報を送信し、前記アップリンク送信アンテナの切り替えを行わないことを決定することに用いられることを特徴とする請求項７６に記載の端末。
【請求項８１】
前記処理ユニットは更に、
第１時間長さが前記時間間隔閾値以上である場合、前記アップリンク送信アンテナの切り替えを行うことを決定すること、又は、
前記第１時間長さが前記時間間隔閾値より小さい場合、前記アップリンク送信アンテナの切り替えを行わないことを決定し、前記第１時間長さは切り替え時間ノードの前の時間長さ、切り替え時間ノードの後の時間長さ又は切り替え時間ノードの前と後の時間長さの和に等しいことに用いられることを特徴とする請求項７６に記載の端末。
【請求項８２】
前記通信ユニットは更に、
前記時間間隔閾値を指示するための第２情報を前記ネットワーク装置に送信することに用いられることを特徴とする請求項７５又は８１に記載の端末。
【発明の詳細な説明】
【技術分野】
【０００１】
本願は通信分野に関し、より具体的に、無線通信方法及び装置に関する。
【背景技術】
【０００２】
ロングタームエボリューション（Ｌｏｎｇ  Ｔｅｒｍ  Ｅｖｏｌｕｔｉｏｎ、ＬＴＥ）システムでは、ネットワーク装置は、端末が物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）の伝送又はサウンディング参照信号（Ｓｏｕｎｄｉｎｇ  Ｒｅｆｅｒｅｎｃｅ  Ｓｉｇｎａｌ、ＳＲＳ）の伝送を行う時に周波数ホッピングすることを設定すると、端末がＰＵＳＣＨ又はＳＲＳの伝送を行う時に周波数ホッピングを行う。
【０００３】
５Ｇシステムでは、通信伝送の柔軟性が高い。
【０００４】
如何に周波数ホッピングを５Ｇシステムの柔軟な伝送に適合させるかは解決すべき問題である。
【発明の概要】
【発明が解決しようとする課題】
【０００５】
本願の実施例は無線通信方法及び装置を提供し、周波数ホッピングを５Ｇシステムの柔軟な伝送に適合させることができる。
【課題を解決するための手段】
【０００６】
第１態様では無線通信方法を提供し、
ネットワーク装置は、端末が第１信号の伝送時に周波数ホッピングを行う時間間隔閾値、端末が第１信号の伝送を行う時に用いるベースパラメータセット、及びスロット又はミニスロットの構成のうちの１つを決定することと、
ネットワーク装置は、時間間隔閾値、ベースパラメータセット及びスロット又はミニスロットの構成のうちの少なくとも１つに基づいて第１情報を送信し、第1情報は端末が第１信号の伝送を行う時に周波数ホッピングするか周波数ホッピングしないかを指示することと、を含む。
【０００７】
従って、本願の実施例では、ネットワーク装置は端末が第１信号の伝送時に周波数ホッピングを行う時間間隔閾値、該端末が該第１信号の伝送を行う時に用いるベースパラメータセット、及びスロット又はミニスロットの構成のうちの１つに基づいて、該端末が該第１信号の伝送を行う時に周波数ホッピングするか周波数ホッピングしないかを指示する第１情報を送信することで、現在の通信シーンに基づいて周波数ホッピングするか周波数ホッピングしないかを選択でき、周波数ホッピング技術を５Ｇシステムの柔軟な伝送に適合させることができる。
【０００８】
第１態様に関連して、第１態様の１つの可能な実施形態では、ネットワーク装置が時間間隔閾値、ベースパラメータセット及びスロット又はミニスロットの構成のうちの少なくとも１つに基づいて第１情報を送信することは、
ベースパラメータセットに含まれるサブキャリア間隔及び／又はシンボル長さに基づいて、第１情報を送信することを含む。
【０００９】
第１態様又は上記いずれか１つの可能な実施形態に関連して、第１態様の別の可能な実施形態では、ベースパラメータセットに含まれるサブキャリア間隔及び／又はシンボル長さに基づいて第１情報を送信することは、
サブキャリア間隔が第１閾値以上であり、及び／又はシンボル長さが第２閾値以下である場合、第１情報を送信し、第１情報は周波数ホッピングしないことを指示することを含む。
【００１０】
第１態様又は上記いずれか１つの可能な実施形態に関連して、第１態様の別の可能な実施形態では、ベースパラメータセットに含まれるサブキャリア間隔及び／又はシンボル長さに基づいて第１情報を送信することは、
サブキャリア間隔が第１閾値より小さく、及び／又はシンボル長さが第２閾値より大きい場合、第１情報を送信し、第１情報は周波数ホッピングすることを指示することを含む。
【００１１】
第１態様又は上記いずれか１つの可能な実施形態に関連して、第１態様の別の可能な実施形態では、ネットワーク装置が時間間隔閾値、ベースパラメータセット及びスロット又はミニスロットの構成のうちの少なくとも１つに基づいて第１情報を送信することは、
スロット又はミニスロットの長さが第３閾値以上である場合、第１情報を送信し、第１情報は周波数ホッピングすることを指示することを含む。
【００１２】
第１態様又は上記いずれか１つの可能な実施形態に関連して、第１態様の別の可能な実施形態では、ネットワーク装置が時間間隔閾値、ベースパラメータセット及びスロット又はミニスロットの構成のうちの少なくとも１つに基づいて第１情報を送信することは、
スロット又はミニスロットの長さが第３閾値より小さい場合、第１情報を送信し、第１情報は周波数ホッピングしないことを指示することを含む。
【００１３】
第１態様又は上記いずれか１つの可能な実施形態に関連して、第１態様の別の可能な実施形態では、ネットワーク装置が時間間隔閾値、ベースパラメータセット及びスロット又はミニスロットの構成のうちの少なくとも１つに基づいて第１情報を送信することは、
第１時間長さが時間間隔閾値以下である場合、第１情報を送信し、第１情報は周波数ホッピングしないことを指示し、第１時間長さは周波数ホッピング時間ノードの前の信号伝送時間長さ、又は周波数ホッピング時間ノードの後の信号伝送時間長さ、又は周波数ホッピング時間ノードの前と後の信号伝送時間長さの和であることを含む。
【００１４】
第１態様又は上記いずれか１つの可能な実施形態に関連して、第１態様の別の可能な実施形態では、ネットワーク装置が時間間隔閾値、ベースパラメータセット及びスロット又はミニスロットの構成のうちの少なくとも１つに基づいて第１情報を送信することは、
第１時間長さが時間間隔閾値より大きい場合、第１情報を送信し、第１情報は周波数ホッピングすることを指示し、第１時間長さは周波数ホッピング時間ノードの前の信号伝送時間長さ、又は周波数ホッピング時間ノードの後の信号伝送時間長さ、又は周波数ホッピング時間ノードの前と後の信号伝送時間長さの和であることを含む。
【００１５】
第１態様又は上記いずれか１つの可能な実施形態に関連して、第１態様の別の可能な実施形態では、ネットワーク装置は端末が第１信号の伝送時に周波数ホッピングを行う時間間隔閾値を決定することは、
ネットワーク装置が時間間隔閾値集合から時間間隔閾値を選択することを含む。
【００１６】
第１態様又は上記いずれか１つの可能な実施形態に関連して、第１態様の別の可能な実施形態では、ネットワーク装置が時間間隔閾値集合から時間間隔閾値を選択することは、
端末が第１信号の伝送を行う時に用いるベースパラメータセットに基づいて、時間間隔閾値集合から時間間隔閾値を選択することを含む。
【００１７】
第１態様又は上記いずれか１つの可能な実施形態に関連して、第１態様の別の可能な実施形態では、
ネットワーク装置は端末から送信された、時間間隔閾値を指示するための第２情報を受信することを更に含む。
【００１８】
第１態様又は上記いずれか１つの可能な実施形態に関連して、第１態様の別の可能な実施形態では、第１信号は物理アップリンク共有チャネル（ＰＵＳＣＨ）又はサウンディング参照信号（ＳＲＳ）である。
【００１９】
第２態様では無線通信方法を提供し、
端末はネットワーク装置から送信された、端末が第１信号の伝送を行う時に周波数ホッピングすることを指示するための第１情報を受信することと、
第１情報に応答して、端末は第１信号の伝送を行う時に周波数ホッピングするか否かを決定することと、を含む。
【００２０】
従って、本願の実施例では、端末はネットワーク装置から送信された、該端末が第１信号の伝送を行う時に周波数ホッピングすることを指示するための第１情報を受信した後、必ず周波数ホッピングすることではなく、該第１信号の伝送を行う時に周波数ホッピングするか否かを決定することができ、現在の通信シーンに基づいて周波数ホッピングするか周波数ホッピングしないかを選択でき、周波数ホッピング技術を５Ｇシステムの柔軟な伝送に適合させることができる。
【００２１】
第２態様に関連して、第２態様の１つの可能な実施形態では、端末は第１信号の伝送を行う時に周波数ホッピングするか否かを決定することは、
端末は第１信号の伝送時に周波数ホッピングを行う時間間隔閾値、端末が第１信号の伝送を行う時に用いるベースパラメータセット、及びスロット又はミニスロットの構成のうちの１つに基づいて、第１信号の伝送を行う時に周波数ホッピングするか否かを決定することを含む。
【００２２】
第２態様又はその上記いずれか１つの可能な実施形態に関連して、第２態様の別の可能な実施形態では、端末は第１信号の伝送時に周波数ホッピングを行う時間間隔閾値、端末が第１信号の伝送を行う時に用いるベースパラメータセット、及びスロット又はミニスロットの構成のうちの１つに基づいて、第１信号の伝送を行う時に周波数ホッピングするか否かを決定することは、
ベースパラメータセットに含まれるサブキャリア間隔及び／又はシンボル長さに基づいて、端末は第１信号の伝送を行う時に周波数ホッピングを行うか否かを決定することを含む。
【００２３】
第２態様又はその上記いずれか１つの可能な実施形態に関連して、第２態様の別の可能な実施形態では、ベースパラメータセットに含まれるサブキャリア間隔及び／又はシンボル長さに基づいて、端末は第１信号の伝送を行う時に周波数ホッピングを行うか否かを決定することは、
サブキャリア間隔が第１閾値以上であり、及び／又はシンボル長さが第２閾値以下である場合、端末は第１信号の伝送を行う時に周波数ホッピングしないことを決定すること、又は、
サブキャリア間隔が第１閾値より小さく、及び／又はシンボル長さが第２閾値より大きい場合、端末は第１信号の伝送を行う時に周波数ホッピングすることを決定することを含む。
【００２４】
第２態様又はその上記いずれか１つの可能な実施形態に関連して、第２態様の別の可能な実施形態では、端末は第１信号の伝送時に周波数ホッピングを行う時間間隔閾値、端末が第１信号の伝送を行う時に用いるベースパラメータセット、及びスロット又はミニスロットの構成のうちの１つに基づいて、第１信号の伝送を行う時に周波数ホッピングするか否かを決定することは、
スロット又はミニスロットの長さが第３閾値以上である場合、端末は第１信号の伝送を行う時に周波数ホッピングすることを決定することを含む。
【００２５】
第２態様又はその上記いずれか１つの可能な実施形態に関連して、第２態様の別の可能な実施形態では、端末は第１信号の伝送時に周波数ホッピングを行う時間間隔閾値、端末が第１信号の伝送を行う時に用いるベースパラメータセット、及びスロット又はミニスロットの構成のうちの１つに基づいて、第１信号の伝送を行う時に周波数ホッピングするか否かを決定することは、
スロット又はミニスロットの長さが第３閾値より小さい場合、端末は第１信号の伝送を行う時に周波数ホッピングしないことを決定することを含む。
【００２６】
第２態様又はその上記いずれか１つの可能な実施形態に関連して、第２態様の別の可能な実施形態では、端末は第１信号の伝送時に周波数ホッピングを行う時間間隔閾値、端末が第１信号の伝送を行う時に用いるベースパラメータセット、及びスロット又はミニスロットの構成のうちの１つに基づいて、第１信号の伝送を行う時に周波数ホッピングするか否かを決定することは、
第１時間長さが時間間隔閾値以下である場合、端末は第１信号の伝送を行う時に周波数ホッピングしないことを決定し、第１時間長さは周波数ホッピング時間ノードの前の信号伝送時間長さ、又は周波数ホッピング時間ノードの後の信号伝送時間長さ、又は周波数ホッピング時間ノードの前と後の信号伝送時間長さの和であることを含む。
【００２７】
第２態様又はその上記いずれか１つの可能な実施形態に関連して、第２態様の別の可能な実施形態では、端末は第１信号の伝送時に周波数ホッピングを行う時間間隔閾値、端末が第１信号の伝送を行う時に用いるベースパラメータセット、及びスロット又はミニスロットの構成のうちの１つに基づいて、第１信号の伝送を行う時に周波数ホッピングするか否かを決定することは、
第１時間長さが時間間隔閾値より大きい場合、端末は第１信号の伝送を行う時に周波数ホッピングすることを決定し、第１時間長さは周波数ホッピング時間ノードの前の信号伝送時間長さ、又は周波数ホッピング時間ノードの後の信号伝送時間長さ、又は周波数ホッピング時間ノードの前と後の信号伝送時間長さの和であることを含む。
【００２８】
第２態様又はその上記いずれか１つの可能な実施形態に関連して、第２態様の別の可能な実施形態では、端末は時間間隔閾値を指示するための第２情報をネットワーク装置に送信する。
【００２９】
第２態様又はその上記いずれか１つの可能な実施形態に関連して、第２態様の別の可能な実施形態では、第１信号は物理アップリンク共有チャネル（ＰＵＳＣＨ）又はサウンディング参照信号（ＳＲＳ）である。
【００３０】
第３態様では無線通信方法を提供し、
ネットワーク装置は端末がアップリンク送信アンテナを切り替える時間間隔閾値、端末がアップリンク送信アンテナで信号を送信する時に用いるベースパラメータセット及びスロット又はミニスロットの構成のうちの少なくとも１つを決定することと、
ネットワーク装置は時間間隔閾値、ベースパラメータセット及びスロット又はミニスロットの構成のうちの少なくとも１つに基づいて第１情報を送信し、端末がアップリンク送信アンテナの切り替えを行うか行わないかを指示することと、を含む。
【００３１】
従って、本願の実施例では、ネットワーク装置は端末がアップリンク送信アンテナを切り替える時間間隔閾値、該端末がアップリンク送信アンテナで信号を送信する時に用いるベースパラメータセット及びスロット又はミニスロットの構成のうちの少なくとも１つに基づいて、該端末が該アップリンク送信アンテナの切り替えを行うか行わないかを指示する第１情報を送信することで、現在の通信シーンに基づいてアンテナを切り替えるか切り替えないかを選択でき、アンテナの切り替えを５Ｇシステムの柔軟な伝送に適合させることができる。
【００３２】
第３態様に関連して、第３態様の１つの可能な実施形態では、ネットワーク装置は時間間隔閾値、ベースパラメータセット及びスロット又はミニスロットの構成のうちの少なくとも１つに基づいて第１情報を送信し、端末がアップリンク送信アンテナの切り替えを行うか行わないかを指示することは、
ベースパラメータセットに含まれるサブキャリア間隔及び／又はシンボル長さに基づいて、第１情報を送信することを含む。
【００３３】
第３態様又はその上記いずれか１つの可能な実施形態に関連して、第３態様の別の可能な実施形態では、ベースパラメータセットに含まれるサブキャリア間隔及び／又はシンボル長さに基づいて第１情報を送信することは、
サブキャリア間隔が第１閾値以上であり、及び／又はシンボル長さが第２閾値以下である場合、アップリンク送信アンテナの切り替えを行わないことを指示する第１情報を送信することを含む。
【００３４】
第３態様又はその上記いずれか１つの可能な実施形態に関連して、第３態様の別の可能な実施形態では、ベースパラメータセットに含まれるサブキャリア間隔及び／又はシンボル長さに基づいて第１情報を送信することは、
サブキャリア間隔が第１閾値より小さく、及び／又はシンボル長さが第２閾値より大きい場合、第１情報を送信し、第１情報はアップリンク送信アンテナの切り替えを行うことを指示することを含む。
【００３５】
第３態様又はその上記いずれか１つの可能な実施形態に関連して、第３態様の別の可能な実施形態では、ネットワーク装置は時間間隔閾値、ベースパラメータセット及びスロット又はミニスロットの構成のうちの少なくとも１つに基づいて第１情報を送信し、端末がアップリンク送信アンテナの切り替えを行うか行わないかを指示することは、
スロット又はミニスロットの長さが第３閾値以上である場合、ネットワーク装置はアップリンク送信アンテナの切り替えを行うことを指示する第１情報を送信することを含む。
【００３６】
第３態様又はその上記いずれか１つの可能な実施形態に関連して、第３態様の別の可能な実施形態では、ネットワーク装置は時間間隔閾値、ベースパラメータセット及びスロット又はミニスロットの構成のうちの少なくとも１つに基づいて第１情報を送信し、端末がアップリンク送信アンテナの切り替えを行うか行わないかを指示することは、
スロット又はミニスロットの長さが第３閾値より小さい場合、ネットワーク装置はアップリンク送信アンテナの切り替えを行わないことを指示する第１情報を送信することを含む。
【００３７】
第３態様又はその上記いずれか１つの可能な実施形態に関連して、第３態様の別の可能な実施形態では、ネットワーク装置は時間間隔閾値、ベースパラメータセット及びスロット又はミニスロットの構成のうちの少なくとも１つに基づいて第１情報を送信し、端末がアップリンク送信アンテナの切り替えを行うか行わないかを指示することは、
第１時間長さが時間間隔閾値以上である場合、第１情報を送信し、第１情報はアップリンク送信アンテナの切り替えを行うことを指示し、第１時間長さは切り替え時間ノードの前の時間長さ、切り替え時間ノードの後の時間長さ又は切り替え時間ノードの前と後の時間長さの和に等しいことを含む。
【００３８】
第３態様又はその上記いずれか１つの可能な実施形態に関連して、第３態様の別の可能な実施形態では、ネットワーク装置は時間間隔閾値、ベースパラメータセット及びスロット又はミニスロットの構成のうちの少なくとも１つに基づいて第１情報を送信し、端末がアップリンク送信アンテナの切り替えを行うか行わないかを指示することは、
第１時間長さが時間間隔閾値より小さい場合、第１情報を送信し、第１情報はアップリンク送信アンテナの切り替えを行わないことを指示し、第１時間長さは切り替え時間ノードの前の時間長さ、切り替え時間ノードの後の時間長さ又は切り替え時間ノードの前と後の時間長さの和に等しいことを含む。
【００３９】
第３態様又はその上記いずれか１つの可能な実施形態に関連して、第３態様の別の可能な実施形態では、ネットワーク装置は端末がアップリンク送信アンテナを切り替える時間間隔閾値を決定することは、
ネットワーク装置が時間間隔閾値集合から時間間隔閾値を選択することを含む。
【００４０】
第３態様又はその上記いずれか１つの可能な実施形態に関連して、第３態様の別の可能な実施形態では、ネットワーク装置が時間間隔閾値集合から時間間隔閾値を選択することは、
端末がアップリンク送信アンテナで信号を送信する時に用いるベースパラメータセットに基づいて、時間間隔閾値集合から時間間隔閾値を選択することを含む。
【００４１】
第３態様又はその上記いずれか１つの可能な実施形態に関連して、第３態様の別の可能な実施形態では、方法は、
ネットワーク装置は端末から送信された、時間間隔閾値を指示するための第２情報を受信することを更に含む。
【００４２】
第４態様では無線通信方法を提供し、
端末はネットワーク装置から送信された、端末がアップリンク送信アンテナの切り替えを行うことを指示するための第１情報を受信することと、
第１情報に応答して、端末はアップリンク送信アンテナの切り替えを行うか否かを決定することと、を含む。
【００４３】
従って、本願の実施例では、端末はネットワーク装置から送信された、該端末がアンテナの切り替えを行うことを指示するための第１情報を受信した後、必ずアンテナを切り替えることではなく、アップリンク信号の伝送を行う時にアップリンクアンテナの切り替えを行うか否か、周波数ホッピングするか否かを決定することができ、現在の通信シーンに基づいてアンテナを切り替えるか切り替えないかを選択でき、アンテナの切り替えを５Ｇシステムの柔軟な伝送に適合させることができる。
【００４４】
第４態様に関連して、第４態様の１つの可能な実施形態では、端末はアップリンク送信アンテナの切り替えを行うか否かを決定することは、
端末はアップリンク送信アンテナを切り替える時間間隔閾値、端末がアップリンク送信アンテナで信号を送信する時に用いるベースパラメータセット及びスロット又はミニスロットの構成のうちの少なくとも１つに基づいて、アップリンク送信アンテナの切り替えを行うか否かを決定することを含む。
【００４５】
第４態様又はその上記いずれか１つの可能な実施形態に関連して、第４態様の別の可能な実施形態では、端末はアップリンク送信アンテナを切り替える時間間隔閾値、端末がアップリンク送信アンテナで信号を送信する時に用いるベースパラメータセット及びスロット又はミニスロットの構成のうちの少なくとも１つに基づいて、アップリンク送信アンテナの切り替えを行うか否かを決定することは、
ベースパラメータセットに含まれるサブキャリア間隔及び／又はシンボル長さに基づいて、アップリンク送信アンテナの切り替えを行うか否かを決定することを含む。
【００４６】
第４態様又はその上記いずれか１つの可能な実施形態に関連して、第４態様の別の可能な実施形態では、ベースパラメータセットに含まれるサブキャリア間隔及び／又はシンボル長さに基づいて、アップリンク送信アンテナの切り替えを行うか否かを決定することは、
サブキャリア間隔が第１閾値以上であり、及び／又はシンボル長さが第２閾値以下である場合、アップリンク送信アンテナの切り替えを行わないことを決定すること、又は、
サブキャリア間隔が第１閾値より小さく、及び／又はシンボル長さが第２閾値より大きい場合、アップリンク送信アンテナの切り替えを行うことを決定することを含む。
【００４７】
第４態様又はその上記いずれか１つの可能な実施形態に関連して、第４態様の別の可能な実施形態では、端末はアップリンク送信アンテナを切り替える時間間隔閾値、端末がアップリンク送信アンテナで信号を送信する時に用いるベースパラメータセット及びスロット又はミニスロットの構成のうちの少なくとも１つに基づいて、アップリンク送信アンテナの切り替えを行うか否かを決定することは、
スロット又はミニスロットの長さが第３閾値以上である場合、ネットワーク装置は第１情報を送信し、端末はアップリンク送信アンテナの切り替えを行うことを決定することを含む。
【００４８】
第４態様又はその上記いずれか１つの可能な実施形態に関連して、第４態様の別の可能な実施形態では、端末はアップリンク送信アンテナを切り替える時間間隔閾値、端末がアップリンク送信アンテナで信号を送信する時に用いるベースパラメータセット及びスロット又はミニスロットの構成のうちの少なくとも１つに基づいて、アップリンク送信アンテナの切り替えを行うか否かを決定することは、
スロット又はミニスロットの長さが第３閾値より小さい場合、端末はアップリンク送信アンテナの切り替えを行わないことを決定することを含む。
【００４９】
第４態様又はその上記いずれか１つの可能な実施形態に関連して、第４態様の別の可能な実施形態では、端末はアップリンク送信アンテナを切り替える時間間隔閾値、端末がアップリンク送信アンテナで信号を送信する時に用いるベースパラメータセット及びスロット又はミニスロットの構成のうちの少なくとも１つに基づいて、アップリンク送信アンテナの切り替えを行うか否かを決定することは、
第１時間長さが時間間隔閾値以上である場合、アップリンク送信アンテナの切り替えを行うことを決定すること、又は、
第１時間長さが時間間隔閾値より小さい場合、アップリンク送信アンテナの切り替えを行わないことを決定し、第１時間長さは切り替え時間ノードの前の時間長さ、切り替え時間ノードの後の時間長さ又は切り替え時間ノードの前と後の時間長さの和に等しいことを含む。
【００５０】
第４態様又はその上記いずれか１つの可能な実施形態に関連して、第４態様の別の可能な実施形態では、方法は、
端末は時間間隔閾値を指示するための第２情報をネットワーク装置に送信することを更に含む。
【００５１】
第５態様では、上記第１態様又は第１態様のいずれか可能な実施形態又は第３態様又は第３態様のいずれか可能な実施形態の方法を実行するためのネットワーク装置を提供する。具体的に、前記ネットワーク装置は、上記第１態様又は第１態様のいずれか可能な実施形態又は第３態様又は第３態様のいずれか可能な実施形態の方法を実行するための機能モジュールを備える。
【００５２】
第６態様では、上記第２態様又は第２態様のいずれか可能な実施形態又は第４態様又は第４態様のいずれか可能な実施形態の方法を実行するための端末を提供する。具体的に、前記端末装置は、上記第２態様又は第２態様のいずれか可能な実施形態又は第４態様又は第４態様のいずれか可能な実施形態の方法を実行するための機能モジュールを備える。
【００５３】
第７態様では、プロセッサ、メモリ及び送受信機を備えるネットワーク装置を提供する。前記プロセッサ、前記メモリ及び前記送受信機の間には内部接続通路を介して互いに通信し、制御信号及び／又はデータ信号を伝送し、それにより前記ネットワーク装置は上記第１態様又は第１態様のいずれか可能な実施形態又は第３態様又は第３態様のいずれか可能な実施形態の方法を実行する。
【００５４】
第８態様では、プロセッサ、メモリ及び送受信機を備える端末を提供する。前記プロセッサ、前記メモリ及び前記送受信機の間には内部接続通路を介して互いに通信し、制御信号及び／又はデータ信号を伝送し、それにより前記端末装置は上記第２態様又は第２態様のいずれか可能な実施形態又は第４態様又は第４態様のいずれか可能な実施形態の方法を実行する。
【００５５】
第９態様では、上記いずれか１つの方法又はいずれか可能な実施形態の方法を実行するための命令を含むコンピュータプログラムを記憶することに用いられるコンピュータ可読媒体を提供する。
【００５６】
第１０態様では、命令を含むコンピュータプログラム製品を提供し、それがコンピュータで実行する場合、コンピュータは上記いずれか１つの方法又はいずれか可能な実施形態の方法を実行する。
【図面の簡単な説明】
【００５７】
本願の実施例の技術案をより明瞭に説明するために、以下では実施例又は従来技術の説明に必要な図面を簡単に説明し、明らかなように、以下で説明される図面は単に本願の一部の実施例であり、当業者にとって、創造的な労働を必要とせずに、これらの図面に基づいて他の図面を得ることができる。
【図１】図１は本願の実施例に係る無線通信システムの模式図である。
【図２】図２は本願の実施例に係る無線通信方法の概略フローチャートである。
【図３】図３は本願の実施例に係る無線通信方法の概略フローチャートである。
【図４】図４は本願の実施例に係る無線通信方法の概略フローチャートである。
【図５】図５は本願の実施例に係る無線通信方法の概略フローチャートである。
【図６】図６は本願の実施例に係るネットワーク装置の概略ブロック図である。
【図７】図７は本願の実施例に係る端末の概略ブロック図である。
【図８】図８は本願の実施例に係るシステムチップの概略ブロック図である。
【図９】図９は本願の実施例に係る通信装置の概略ブロック図である。
【発明を実施するための形態】
【００５８】
以下では、本願の実施例の図面を参照しながら、本願の実施例の技術案を説明し、勿論、説明される実施例は本願の一部の実施例に過ぎず、全部の実施例ではない。本願の実施例に基づいて、当業者が創造的な労働を必要とせずに得る全ての他の実施例は、いずれも本願の保護範囲に属する。
【００５９】
本願の実施例の技術案は、例えば、グローバル移動通信（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称）システム、符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ、「ＧＰＲＳ」と略称）、ロングタームエボリューション（Ｌｏｎｇ  Ｔｅｒｍ  Ｅｖｏｌｕｔｉｏｎ、「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ、「ＦＤＤ」と略称）システム、ＬＴＥ時分割複信（Ｔｉｍｅ  Ｄｉｖｉｓｉｏｎ  Ｄｕｐｌｅｘ、「ＴＤＤ」と略称）、ユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称）、ワールドワイド・インターオペラビリティ・フォー・マイクロウェーブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、「ＷｉＭＡＸ」と略称）通信システム又は将来の５Ｇシステム等の様々な通信システムに適用できる。
【００６０】
図１は本願の実施例に適用する無線通信システム１００を示す。該無線通信システム１００はネットワーク装置１１０を備えてもよい。ネットワーク装置１００は端末装置と通信する装置であってもよい。ネットワーク装置１００は特定の地理的エリアに通信カバレッジを提供できるとともに、該カバレッジエリア内にある端末装置（例えば、ＵＥ）と通信できる。選択肢として、該ネットワーク装置１００はＧＳＭシステム又はＣＤＭＡシステムにおける基地局（Ｂａｓｅ  Ｔｒａｎｓｃｅｉｖｅｒ  Ｓｔａｔｉｏｎ、ＢＴＳ）であってもよく、ＷＣＤＭＡシステムにおける基地局（ＮｏｄｅＢ、ＮＢ）であってもよく、更にＬＴＥシステムにおける進化型基地局（Ｅｖｏｌｕｔｉｏｎａｌ  Ｎｏｄｅ  Ｂ、ｅＮＢ又はｅＮｏｄｅＢ）であってもよく、又はクラウド無線アクセスネットワーク（Ｃｌｏｕｄ  Ｒａｄｉｏ  Ａｃｃｅｓｓ  Ｎｅｔｗｏｒｋ、ＣＲＡＮ）における無線コントローラであってもよく、又は該ネットワーク装置は中継局、アクセスポイント、車載装置、ウェアラブルデバイス、将来５Ｇネットワークにおけるネットワーク側装置又は将来の進化型公衆陸上移動体ネットワーク（Ｐｕｂｌｉｃ  Ｌａｎｄ  Ｍｏｂｉｌｅ  Ｎｅｔｗｏｒｋ、ＰＬＭＮ）におけるネットワーク装置等であってもよい。
【００６１】
該無線通信システム１００はネットワーク装置１１０のカバレッジ範囲内にある少なくとも１つの端末装置１２０を更に備えてもよい。端末装置１２０は移動又は固定であってもよい。選択肢として、端末装置１２０とはアクセス端末、ユーザ装置（Ｕｓｅｒ  Ｅｑｕｉｐｍｅｎｔ、ＵＥ）、ユーザユニット、ユーザステーション、移動局、モバイルステーション、遠方局、遠隔端末、移動装置、ユーザ端末、端末、無線通信装置、ユーザエージェント又はユーザデバイスを指してもよい。アクセス端末はセルラー電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）ステーション、携帯情報端末（Ｐｅｒｓｏｎａｌ  Ｄｉｇｉｔａｌ  Ａｓｓｉｓｔａｎｔ、ＰＤＡ）、無線通信機能を有するハンドヘルドデバイス、コンピューティングデバイス又は無線モデムに接続された他の処理装置、車載装置、ウェアラブルデバイス、将来５Ｇネットワークにおける端末装置又は将来の進化型ＰＬＭＮにおける端末装置等であってもよい。
【００６２】
選択肢として、端末装置１２０の間には端末間（Ｄｅｖｉｃｅ  ｔｏ  Ｄｅｖｉｃｅ、Ｄ２Ｄ）通信を行うことができる。
【００６３】
選択肢として、５Ｇシステム又はネットワークは新無線（Ｎｅｗ  Ｒａｄｉｏ、ＮＲ）システム又はネットワークと呼ばれてもよい。
【００６４】
図１は１つのネットワーク装置及び２つの端末装置を例示的に示し、選択肢として、該無線通信システム１００は複数のネットワーク装置を備えてもよく、各ネットワーク装置のカバレッジ範囲内に他の数の端末装置が備えられてもよく、本願の実施例はこれを限定しない。
【００６５】
選択肢として、該無線通信システム１００はネットワークコントローラ、移動管理エンティティ等の他のネットワークエンティティを更に備えてもよく、本願の実施例はこれを限定しない。
【００６６】
なお、本明細書の用語「システム」及び「ネットワーク」は本明細書ではしばしば交換可能に使用される。本明細書の用語「及び／又は」は、関連対象の関連関係を説明するためのものに過ぎず、３つの関係が存在することを示し、例えば、Ａ及び／又はＢは、Ａが単独で存在すること、Ａ及びＢが同時に存在すること、Ｂが単独で存在することの３つの状況を示す。また、本明細書の文字「／」は、一般的に前後の関連対象が「又は」の関係を持つことを示す。
【００６７】
図２は本願の実施例に係る無線通信方法２００の概略フローチャートである。選択肢として、該方法２００は図１に示されるシステムに適用できるが、それに限定されない。該方法２００は以下の内容の少なくとも一部を含む。
【００６８】
２１０では、ネットワーク装置は端末が第１信号の伝送時に周波数ホッピングを行う時間間隔閾値、該端末が該第１信号の伝送を行う時に用いるベースパラメータセット、及びスロット又はミニスロットの構成のうちの１つを決定する。
【００６９】
選択肢として、該第１信号はＰＵＳＣＨ又はＳＲＳである。当然ながら、他の信号であってもよく、本願の実施例はこれを特に限定しない。
【００７０】
選択肢として、端末が第１信号の伝送時に周波数ホッピングを行う時間間隔閾値は１つの特定の値であってもよく、端末が一定の条件下で信号を伝送する時間は該値より大きい場合、周波数ホッピングし、該値以下である場合、周波数ホッピングしない。
【００７１】
選択肢として、端末が該第１信号の伝送を行う時に用いるベースパラメータセットはサブキャリア間隔、シンボル長さ及びサイクリックプレフィックス（Ｃｙｃｌｉｃ  Ｐｒｅｆｉｘ、ＣＰ）のうちの少なくとも１つを含んでもよい。
【００７２】
選択肢として、本願の実施例に記載のベースパラメータセットのＣＰはノーマル（Ｎｏｒｍａｌ）ＣＰであってもよい。
【００７３】
選択肢として、本願の実施例に記載のスロット又はミニスロットの構成とは、第１信号の伝送を行う時のスロット又はミニスロットの構成を指す。
【００７４】
選択肢として、本願の実施例に記載のスロット又はミニスロットの構成とはスロット又はミニスロットの長さを指してもよく、スロット又はミニスロットに含まれるシンボル数が一定であれば、該構成はシンボルの長さによって示されてもよい。
【００７５】
２２０では、該ネットワーク装置は該時間間隔閾値、該ベースパラメータセット及び該スロット又はミニスロットの構成のうちの少なくとも１つに基づいて第１情報を送信し、該第１情報は該端末が該第１信号の伝送を行う時に周波数ホッピングするか周波数ホッピングしないかを指示する。
【００７６】
選択肢として、該ネットワーク装置は該時間間隔閾値、該ベースパラメータセット及び該スロット又はミニスロットの構成のうちの少なくとも１つに基づいて、該端末が該第１信号の伝送を行う時に周波数ホッピングするか周波数ホッピングしないかを指示する第１情報を送信することは、以下のように実現できる。
【００７７】
１）該時間間隔閾値、該ベースパラメータセット及び該スロット又はミニスロットの構成のうちの少なくとも１つに基づいて、端末が第１信号の伝送を行う時に周波数ホッピングする必要があることを決定する場合、第１情報を送信して、周波数ホッピングすることを指示してもよく、該時間間隔閾値、該ベースパラメータセット及び該スロット又はミニスロットの構成のうちの少なくとも１つに基づいて、端末が第１信号の伝送を行う時に周波数ホッピングする必要がないことを決定する場合、第１情報を送信して、周波数ホッピングしないことを指示してもよい。
【００７８】
２）該時間間隔閾値、該ベースパラメータセット及び該スロット又はミニスロットの構成のうちの少なくとも１つに基づいて、端末が第１信号の伝送を行う時に周波数ホッピングする必要があることを決定する場合、第１情報を送信して、周波数ホッピングすることを指示してもよく、該時間間隔閾値、該ベースパラメータセット及び該スロット又はミニスロットの構成のうちの少なくとも１つに基づいて、端末が第１信号の伝送を行う時に周波数ホッピングする必要がないことを決定する場合、情報を送信しない。
【００７９】
３）該時間間隔閾値、該ベースパラメータセット及び該スロット又はミニスロットの構成のうちの少なくとも１つに基づいて、端末が第１信号の伝送を行う時に周波数ホッピングする必要があることを決定する場合、情報を送信せず、該時間間隔閾値、該ベースパラメータセット及び該スロット又はミニスロットの構成のうちの少なくとも１つに基づいて、端末が第１信号の伝送を行う時に周波数ホッピングする必要がないことを決定する場合、第１情報を送信して、周波数ホッピングしないことを指示してもよい。
【００８０】
本願をより明瞭に理解するために、以下、いくつかの如何に該時間間隔閾値、該ベースパラメータセット及び該スロット又はミニスロットの構成のうちの少なくとも１つに基づいて、第１情報を送信するかの状況を説明する。
【００８１】
選択肢として、該ベースパラメータセットに含まれるサブキャリア間隔及び／又はシンボル長さに基づいて、ネットワーク装置は該第１情報を送信する。
【００８２】
選択肢として、該サブキャリア間隔が第１閾値以上であり、及び／又は該シンボル長さが第２閾値以下である場合、該第１情報を送信し、該第1情報は周波数ホッピングしないことを指示する。該サブキャリア間隔が第１閾値より小さく、及び／又は該シンボル長さが第２閾値より大きい場合、情報を送信しなくてもよく、又は周波数ホッピングすることを指示する第１情報を送信してもよい。
【００８３】
選択肢として、該サブキャリア間隔が第１閾値より小さく、及び／又は該シンボル長さが第２閾値より大きい場合、該第１情報を送信し、該第１情報は周波数ホッピングすることを指示する。該サブキャリア間隔が第１閾値以上であり、及び／又は該シンボル長さが第２閾値以下である場合、情報を送信しなくてもよく、又は周波数ホッピングしないことを指示する第１情報を送信してもよい。
【００８４】
選択肢として、該スロット又はミニスロットの長さが第３閾値以上である場合、該第１情報を送信し、該第１情報は周波数ホッピングすることを指示する。該スロット又はミニスロットの長さが第３閾値より小さい場合、情報を送信しなくてもよく、又は第１情報を送信して、周波数ホッピングしないことを指示する。
【００８５】
選択肢として、該スロット又はミニスロットの長さが第３閾値より小さい場合、該第１情報を送信し、該第１情報は周波数ホッピングしないことを指示する。該スロット又はミニスロットの長さが第３閾値以上である場合、情報を送信しなくてもよく、又は周波数ホッピングすることを指示する第１情報を送信してもよい。
【００８６】
選択肢として、第１時間長さが該時間間隔閾値以下である場合、該第１情報を送信し、該第１情報は周波数ホッピングしないことを指示し、該第１時間長さは周波数ホッピング時間ノードの前の信号伝送時間長さ、又は周波数ホッピング時間ノードの後の信号伝送時間長さ、又は周波数ホッピング時間ノードの前と後の信号伝送時間長さの和である。第１時間長さが該時間間隔閾値より大きい場合、情報を送信しなくてもよく、又は周波数ホッピングすることを指示する第１情報を送信してもよい。
【００８７】
選択肢として、本願の実施例に記載の周波数ホッピング時間ノードは、予め設定された時間ノードであってもよく、又はネットワーク装置が端末に設定した時間ノードであってもよい。即ち、一定の条件下で、該時間ノードに周波数ホッピングを行うことができる。
【００８８】
選択肢として、周波数ホッピング時間ノードの前の信号伝送時間長さは、該周波数ホッピング時間ノードから所定の１つの時点までの長さであってもよく、又は該周波数ホッピング時間ノードから今回の信号伝送の開始点までの時間長さであってもよく、又は該周波数ホッピング時間ノードの前に用いる所定の周波数点の継続時間長さであってもよい。
【００８９】
選択肢として、周波数ホッピング時間ノードの後の信号伝送時間長さは、該周波数ホッピング時間ノードから所定の１つの時点までの長さであってもよく、又は該周波数ホッピング時間ノードから今回の信号伝送の終了点までの時間長さであってもよく、又は該周波数ホッピング時間ノードの後に用いる所定の周波数点の継続時間長さであってもよい。
【００９０】
選択肢として、第１時間長さが該時間間隔閾値より大きい場合、該第１情報を送信し、該第１情報は周波数ホッピングすることを指示し、第１時間長さは周波数ホッピング時間ノードの前の信号伝送時間長さ、又は周波数ホッピング時間ノードの後の信号伝送時間長さ、又は周波数ホッピング時間ノードの前と後の信号伝送時間長さの和である。第１時間長さが該時間間隔閾値以下である場合、情報を送信しなくてもよく、又は第１情報を送信して、周波数ホッピングしないことを指示してもよい。
【００９１】
選択肢として、該ネットワーク装置は時間間隔閾値集合から該時間間隔閾値を選択する。
【００９２】
選択肢として、該端末が該第１信号の伝送を行う時に用いるベースパラメータセットに基づいて、該時間間隔閾値集合から該時間間隔閾値を選択する。
【００９３】
具体的に、ネットワーク装置は端末が第１信号の伝送を行う時に用いるサブキャリア間隔及び／又はシンボル長さに基づいて、該時間間隔閾値から該時間間隔閾値を選択してもよい。
【００９４】
選択肢として、各サブキャリア間隔及び／又はシンボル長さはそれぞれの時間間隔閾値に対応でき、時間間隔閾値はサブキャリア間隔と負の相関、シンボル長さと正の相関を有してもよい。
【００９５】
選択肢として、該ネットワーク装置は該端末から送信された、該時間間隔閾値を指示するための第２情報を受信する。
【００９６】
具体的に、端末は自体がサポートできる時間間隔閾値をネットワーク装置に指示することができ、該時間間隔閾値は端末の能力と相関してもよく、又はベースパラメータセットと相関してもよい。
【００９７】
従って、本願の実施例では、ネットワーク装置は端末が第１信号の伝送時に周波数ホッピングを行う時間間隔閾値、該端末が該第１信号の伝送を行う時に用いるベースパラメータセット、及びスロット又はミニスロットの構成のうちの１つに基づいて、該端末が該第１信号の伝送を行う時に周波数ホッピングするか周波数ホッピングしないかを指示する第１情報を送信することで、現在の通信シーンに基づいて周波数ホッピングするか周波数ホッピングしないかを選択でき、周波数ホッピング技術を５Ｇシステムの柔軟な伝送に適合させることができる。
【００９８】
図３は本願の実施例に係る無線通信方法３００の概略フローチャートである。該方法３００は以下の内容の少なくとも一部を含む。
【００９９】
３１０では、端末はネットワーク装置から送信された、該端末が該第１信号の伝送を行う時に周波数ホッピングすることを指示するための第１情報を受信する。
【０１００】
３２０では、該第１情報に応答して、該端末は該第１信号の伝送を行う時に周波数ホッピングするか否かを決定する。
【０１０１】
選択肢として、該端末は該第１信号の伝送時に周波数ホッピングを行う時間間隔閾値、該端末が該第１信号の伝送を行う時に用いるベースパラメータセット、及びスロット又はミニスロットの構成のうちの１つに基づいて、該第１信号の伝送を行う時に周波数ホッピングするか否かを決定する。
【０１０２】
選択肢として、該ベースパラメータセットに含まれるサブキャリア間隔及び／又はシンボル長さに基づいて、該端末は該第１信号の伝送を行う時に周波数ホッピングを行うか否かを決定する。
【０１０３】
一実施形態では、該サブキャリア間隔が第１閾値以上であり、及び／又は該シンボル長さが第２閾値以下である場合、該端末は該第１信号の伝送を行う時に周波数ホッピングしないことを決定する。
【０１０４】
一実施形態では、該サブキャリア間隔が第１閾値より小さく、及び／又は該シンボル長さが第２閾値より大きい場合、該端末は該第１信号の伝送を行う時に周波数ホッピングすることを決定する。
【０１０５】
選択肢として、該スロット又はミニスロットの長さが第３閾値以上である場合、該端末は該第１信号の伝送を行う時に周波数ホッピングすることを決定する。
【０１０６】
選択肢として、該スロット又はミニスロットの長さが第３閾値より小さい場合、該端末は該第１信号の伝送を行う時に周波数ホッピングしないことを決定する。
【０１０７】
選択肢として、第１時間長さが該時間間隔閾値以下である場合、該端末は該第１信号の伝送を行う時に周波数ホッピングしないことを決定し、該第１時間長さは周波数ホッピング時間ノードの前の信号伝送時間長さ、又は周波数ホッピング時間ノードの後の信号伝送時間長さ、又は周波数ホッピング時間ノードの前と後の信号伝送時間長さの和である。
【０１０８】
選択肢として、第１時間長さが該時間間隔閾値より大きい場合、該端末は該第１信号の伝送を行う時に周波数ホッピングすることを決定し、該第１時間長さは周波数ホッピング時間ノードの前の信号伝送時間長さ、又は周波数ホッピング時間ノードの後の信号伝送時間長さ、又は周波数ホッピング時間ノードの前と後の信号伝送時間長さの和である。
【０１０９】
選択肢として、該端末は該時間間隔閾値を指示するための第２情報を該ネットワーク装置に送信する。
【０１１０】
具体的に、端末は自体が用いることができる時間間隔閾値をネットワーク装置に指示することができ、該時間間隔閾値は端末の能力と相関してもよく、又はベースパラメータセットと相関してもよい。
【０１１１】
なお、方法２００の一部の説明、例えば、用語の解釈、如何に端末が周波数ホッピングする必要があるか否かを決定するかの方式等は、方法３００に適用でき、簡潔さのために、ここで繰り返して説明しない。
【０１１２】
従って、本願の実施例では、端末はネットワーク装置から送信された、該端末が第１信号の伝送を行う時に周波数ホッピングすることを指示するための第１情報を受信した後、必ず周波数ホッピングすることではなく、該第１信号の伝送を行う時に周波数ホッピングするか否かを決定することができ、現在の通信シーンに基づいて周波数ホッピングするか周波数ホッピングしないかを選択でき、周波数ホッピング技術を５Ｇシステムの柔軟な伝送に適合させることができる。
【０１１３】
なお、方法３００では、端末は該端末が周波数ホッピングを行うことを指示するための情報を受信した後、周波数ホッピングを行うか否かを判断することを説明したが、本願の実施例では、端末装置は該端末が周波数ホッピングを行わないことを指示するための情報を受信した後、周波数ホッピングを行うか否かを判断してもよく、具体的な判断方式については方法３００の説明を参照でき、簡潔さのために、ここで繰り返して説明しない。
【０１１４】
通信システムでは、ネットワーク装置は端末に複数のダウンリンクチャネルを同時に送信でき、端末は複数の受信アンテナを介して同時に受信できるが、端末の送信パワーアンプの数が受信アンテナの数より小さい場合、端末はダウンリンクチャネルと同じ数のアップリンクチャネルを同時に送信できなくなり、この場合、アップリンクとダウンリンクの相互性を実現する必要があれば、送信アンテナを切り替える必要がある。以下、図４及び図５に示される方法４００及び５００を参照して、それぞれネットワーク側及び端末側で、如何に端末の送信アンテナの切り替えを行うかを紹介し、なお、本願の実施例の方法４００及び５００は上記のシーンに限定されない。
【０１１５】
図４は本願の実施例に係る無線通信方法４００の概略フローチャートである。該方法４００は以下の内容の少なくとも一部を含む。
【０１１６】
４１０では、ネットワーク装置は端末がアップリンク送信アンテナを切り替える時間間隔閾値、該端末がアップリンク送信アンテナで信号を送信する時に用いるベースパラメータセット及びスロット又はミニスロットの構成のうちの少なくとも１つを決定する。
【０１１７】
４２０では、該ネットワーク装置は該時間間隔閾値、該ベースパラメータセット及び該スロット又はミニスロットの構成のうちの少なくとも１つに基づいて第１情報を送信し、該端末が該アップリンク送信アンテナの切り替えを行うか行わないかを指示する。
【０１１８】
選択肢として、該ネットワーク装置は端末がアップリンク送信アンテナを切り替える時間間隔閾値、該端末がアップリンク送信アンテナで信号を送信する時に用いるベースパラメータセット及びスロット又はミニスロットの構成のうちの少なくとも１つに基づいて、該端末が該アップリンク送信アンテナの切り替えを行うか行わないかを指示する第１情報を送信することは、以下のように実現できる。
【０１１９】
１）該時間間隔閾値、該ベースパラメータセット及び該スロット又はミニスロットの構成のうちの少なくとも１つに基づいて、端末がアップリンク送信アンテナの切り替えを行う必要があることを決定する場合、第１情報を送信して、切り替えることを指示してもよく、該時間間隔閾値、該ベースパラメータセット及び該スロット又はミニスロットの構成のうちの少なくとも１つに基づいて、端末がアップリンク送信アンテナの切り替えを行う必要がないことを決定する場合、第１情報を送信して、切り替えないことを指示してもよい。
【０１２０】
２）該時間間隔閾値、該ベースパラメータセット及び該スロット又はミニスロットの構成のうちの少なくとも１つに基づいて、端末がアップリンク送信アンテナの切り替えを行う必要があることを決定する場合、第１情報を送信して、切り替えることを指示してもよく、該時間間隔閾値、該ベースパラメータセット及び該スロット又はミニスロットの構成のうちの少なくとも１つに基づいて、端末がアップリンク送信アンテナの切り替えを行う必要がないことを決定する場合、情報を送信しない。
【０１２１】
３）該時間間隔閾値、該ベースパラメータセット及び該スロット又はミニスロットの構成のうちの少なくとも１つに基づいて、端末がアップリンク送信アンテナの切り替えを行う必要があることを決定する場合、情報を送信せず、該時間間隔閾値、該ベースパラメータセット及び該スロット又はミニスロットの構成のうちの少なくとも１つに基づいて、端末がアップリンク送信アンテナの切り替えを行う必要がないことを決定する場合、第１情報を送信して、切り替えないことを指示してもよい。
【０１２２】
本願をより明瞭に理解するために、以下、いくつかの如何に該時間間隔閾値、該ベースパラメータセット及び該スロット又はミニスロットの構成のうちの少なくとも１つに基づいて第１情報を送信するかの状況を説明する。
【０１２３】
選択肢として、該ベースパラメータセットに含まれるサブキャリア間隔及び／又はシンボル長さに基づいて、該第１情報を送信する。
【０１２４】
選択肢として、該サブキャリア間隔が第１閾値以上であり、及び／又は該シンボル長さが第２閾値以下である場合、該第１情報を送信し、該第１情報は該アップリンク送信アンテナの切り替えを行わないことを指示する。該サブキャリア間隔が第１閾値より小さく、及び／又は該シンボル長さが第２閾値より大きい場合、情報を送信しなくてもよく、又は切り替えることを指示する第１情報を送信してもよい。
【０１２５】
選択肢として、該サブキャリア間隔が第１閾値より小さく、及び／又は該シンボル長さが第２閾値より大きい場合、該アップリンク送信アンテナの切り替えを行うことを指示する該第１情報を送信する。該サブキャリア間隔が第１閾値以上であり、及び／又は該シンボル長さが第２閾値以下である場合、情報を送信しなくてもよく、又は切り替えないことを指示する第１情報を送信してもよい。
【０１２６】
選択肢として、該スロット又はミニスロットの長さが第３閾値以上である場合、該ネットワーク装置は該アップリンク送信アンテナの切り替えを行うことを指示する該第１情報を送信する。該スロット又はミニスロットの長さが第３閾値より小さい場合、情報を送信しなくてもよく、又は切り替えないことを指示する第１情報を送信してもよい。
【０１２７】
選択肢として、該スロット又はミニスロットの長さが第３閾値より小さい場合、該ネットワーク装置は該アップリンク送信アンテナの切り替えを行わないことを指示する該第１情報を送信する。該スロット又はミニスロットの長さが第３閾値以上である場合、情報を送信しなくてもよく、又は第１情報を送信して、切り替えることを指示してもよい。
【０１２８】
選択肢として、第１時間長さが該時間間隔閾値以上である場合、該第１情報を送信し、該第１情報は該アップリンク送信アンテナの切り替えを行うことを指示し、該第１時間長さは切り替え時間ノードの前の時間長さ、切り替え時間ノードの後の時間長さ又は切り替え時間ノードの前と後の時間長さの和に等しい。第１時間長さが該時間間隔閾値より小さい場合、情報を送信しなくてもよく、又は第１情報を送信して、切り替えることを指示してもよい。
【０１２９】
選択肢として、第１時間長さが該時間間隔閾値より小さい場合、該第１情報を送信し、該第１情報は該アップリンク送信アンテナの切り替えを行わないことを指示し、該第１時間長さは切り替え時間ノードの前の時間長さ、切り替え時間ノードの後の時間長さ又は切り替え時間ノードの前と後の時間長さの和に等しい。第１時間長さが該時間間隔閾値以上である場合、情報を送信しなくてもよく、又は第１情報を送信して、切り替えることを指示してもよい。
【０１３０】
選択肢として、切り替え時間ノードの前の時間長さは該切り替え時間ノードから所定の１つの時点までの長さであってもよく、又は該切り替え時間ノードから今回の信号伝送の開始点までの時間長さであってもよく、又は該切り替え時間ノードの前に用いる該所定の送信アンテナの継続時間長さであってもよい。
【０１３１】
選択肢として、切り替え時間ノードの後の時間長さは該切り替え時間ノードから所定の１つの時点までの長さであってもよく、又は該切り替え時間ノードから今回の信号伝送の終了点までの時間長さであってもよく、又は該切り替え時間ノードの後に用いる該所定の送信アンテナの継続時間長さであってもよい。
【０１３２】
選択肢として、該ネットワーク装置は時間間隔閾値集合から該時間間隔閾値を選択する。
【０１３３】
選択肢として、該端末はアップリンク送信アンテナで信号を送信する時に用いるベースパラメータセットに基づいて、該時間間隔閾値集合から該時間間隔閾値を選択する。
【０１３４】
具体的に、ネットワーク装置は端末がアップリンク信号の伝送を行う時に用いるサブキャリア間隔及び／又はシンボル長さに基づいて、該時間間隔閾値から該時間間隔閾値を選択する。
【０１３５】
選択肢として、各サブキャリア間隔及び／又はシンボル長さはそれぞれの時間間隔閾値に対応でき、時間間隔閾値はサブキャリア間隔と負の相関、シンボル長さと正の相関を有してもよい。
【０１３６】
選択肢として、各サブキャリア間隔及び／又はシンボル長さはそれぞれの時間間隔閾値に対応でき、時間間隔閾値はサブキャリア間隔と負の相関、シンボル長さと正の相関を有してもよい。
【０１３７】
選択肢として、該ネットワーク装置は該端末から送信された、該時間間隔閾値を指示するための第２情報を受信する。
【０１３８】
具体的に、端末は自体がサポートできる時間間隔閾値をネットワーク装置に指示することができ、該時間間隔閾値は端末の能力と相関してもよく、又はベースパラメータセットと相関してもよい。
【０１３９】
従って、本願の実施例では、ネットワーク装置は端末がアップリンク送信アンテナを切り替える時間間隔閾値、該端末がアップリンク送信アンテナで信号を送信する時に用いるベースパラメータセット及びスロット又はミニスロットの構成のうちの少なくとも１つに基づいて、該端末が該アップリンク送信アンテナの切り替えを行うか行わないかを指示する第１情報を送信することで、現在の通信シーンに基づいてアンテナを切り替えるか切り替えないかを選択でき、アンテナの切り替えを５Ｇシステムの柔軟な伝送に適合させることができる。
【０１４０】
図５は本願の実施例に係る無線通信方法５００の概略フローチャートである。該方法５００は以下の内容の少なくとも一部を含む。
【０１４１】
５１０では、端末はネットワーク装置から送信された、該端末が該アップリンク送信アンテナの切り替えを行うことを指示するための第１情報を受信する。
【０１４２】
５２０では、該第１情報に応答して、該端末は該アップリンク送信アンテナの切り替えを行うか否かを決定する。
【０１４３】
選択肢として、該端末は該アップリンク送信アンテナを切り替える時間間隔閾値、該端末がアップリンク送信アンテナで信号を送信する時に用いるベースパラメータセット及びスロット又はミニスロットの構成のうちの少なくとも１つに基づいて、該アップリンク送信アンテナの切り替えを行うか否かを決定する。
【０１４４】
選択肢として、該ベースパラメータセットに含まれるサブキャリア間隔及び／又はシンボル長さに基づいて、該アップリンク送信アンテナの切り替えを行うか否かを決定する。
【０１４５】
一実施形態では、該サブキャリア間隔が第１閾値以上であり、及び／又は該シンボル長さが第２閾値以下である場合、該アップリンク送信アンテナの切り替えを行わないことを決定し、又は、
一実施形態では、該サブキャリア間隔が第１閾値より小さく、及び／又は該シンボル長さが第２閾値より大きい場合、該アップリンク送信アンテナの切り替えを行うことを決定する。
【０１４６】
選択肢として、該スロット又はミニスロットの長さが第３閾値以上である場合、該ネットワーク装置は該第１情報を送信し、該端末は該アップリンク送信アンテナの切り替えを行うことを決定する。
【０１４７】
選択肢として、該スロット又はミニスロットの長さが第３閾値より小さい場合、該ネットワーク装置は該第１情報を送信し、該端末は該アップリンク送信アンテナの切り替えを行わないことを決定する。
【０１４８】
選択肢として、第１時間長さが該時間間隔閾値以上である場合、該アップリンク送信アンテナの切り替えを行うことを決定し、又は該第１時間長さが該時間間隔閾値より小さい場合、該アップリンク送信アンテナの切り替えを行わないことを決定し、該第１時間長さは切り替え時間ノードの前の時間長さ、切り替え時間ノードの後の時間長さ又は切り替え時間ノードの前と後の時間長さの和に等しい。
【０１４９】
選択肢として、該端末は該時間間隔閾値を指示するための第２情報を該ネットワーク装置に送信する。
【０１５０】
なお、方法４００の一部の説明、例えば、用語の解釈、如何に端末がアンテナを切り替える必要があるか否かを決定するかの方式等は、方法５００に適用でき、簡潔さのために、ここで繰り返して説明しない。
【０１５１】
従って、本願の実施例では、端末はネットワーク装置から送信された、該端末がアンテナの切り替えを行うことを指示するための第１情報を受信した後、必ずアンテナを切り替えることではなく、アップリンク信号の伝送を行う時にアップリンクアンテナの切り替えを行うか否か、周波数ホッピングするか否かを決定することができ、現在の通信シーンに基づいてアンテナを切り替えるか切り替えないかを選択でき、アンテナの切り替えを５Ｇシステムの柔軟な伝送に適合させることができる。
【０１５２】
なお、方法５００は、端末は該端末がアップリンク送信アンテナの切り替えを行うことを指示するための情報を受信した後、アンテナの切り替えを行うか否かを判断することを説明したが、本願の実施例では、端末装置は該端末がアップリンク送信アンテナの切り替えを行わないことを指示するための情報を受信した後、アンテナの切り替えを行うか否かを判断してもよく、具体的な判断方式については方法５００の説明を参照でき、簡潔さのために、ここで繰り返して説明しない。
【０１５３】
なお、本願の実施例の方法４００又は５００は変形してダウンリンクアンテナの切り替えのシーンに適用でき、即ち、方法４００及び５００のアップリンク信号をダウンリンク信号に置き換え、アップリンクアンテナをダウンリンクアンテナに置き換えることができる。
【０１５４】
図６は本願の実施例に係るネットワーク装置６００の概略ブロック図である。図６に示すように、該ネットワーク装置６００は処理ユニット６１０と通信ユニット６２０とを備える。
【０１５５】
選択肢として、該処理ユニット６１０は、端末が第１信号の伝送時に周波数ホッピングを行う時間間隔閾値、該端末が該第１信号の伝送を行う時に用いるベースパラメータセット、及びスロット又はミニスロットの構成のうちの１つを決定することに用いられ、該通信ユニット６２０は、該時間間隔閾値、該ベースパラメータセット及び該スロット又はミニスロットの構成のうちの少なくとも１つに基づいて、該端末が該第１信号の伝送を行う時に周波数ホッピングするか周波数ホッピングしないかを指示する第１情報を送信することに用いられる。
【０１５６】
なお、該ネットワーク装置６００は方法２００のネットワーク装置に対応でき、方法２００のネットワーク装置によって実現される対応の操作を実現でき、簡潔さのために、ここで繰り返して説明しない。
【０１５７】
選択肢として、該処理ユニット６１０は、端末がアップリンク送信アンテナを切り替える時間間隔閾値、該端末がアップリンク送信アンテナで信号を送信する時に用いるベースパラメータセット及びスロット又はミニスロットの構成のうちの少なくとも１つを決定することに用いられ、該通信ユニット６２０は、該時間間隔閾値、該ベースパラメータセット及び該スロット又はミニスロットの構成のうちの少なくとも１つに基づいて第１情報を送信し、該端末が該アップリンク送信アンテナの切り替えを行うか行わないかを指示することに用いられる。
【０１５８】
なお、該ネットワーク装置６００は方法４００のネットワーク装置に対応でき、方法４００のネットワーク装置によって実現される対応の操作を実現でき、簡潔さのために、ここで繰り返して説明しない。
【０１５９】
図７は本願の実施例に係る端末７００の概略ブロック図である。図７に示すように、該端末７００は通信ユニット７１０と処理ユニット７２０とを備える。
【０１６０】
選択肢として、該通信ユニット７１０は、ネットワーク装置から送信された、該端末が該第１信号の伝送を行う時に周波数ホッピングすることを指示するための第１情報を受信することに用いられ、
該処理ユニット７２０は、該第１情報に応答して、該第１信号の伝送を行う時に周波数ホッピングするか否かを決定することに用いられる。
【０１６１】
なお、該端末７００は方法３００の端末に対応でき、方法３００の端末によって実現される対応の操作を実現でき、簡潔さのために、ここで繰り返して説明しない。
【０１６２】
選択肢として、該通信ユニット７１０は、ネットワーク装置から送信された、該端末が該アップリンク送信アンテナの切り替えを行うことを指示するための第１情報を受信することに用いられ、該処理ユニット７２０は、該第１情報に応答して、該アップリンク送信アンテナの切り替えを行うか否かを決定することに用いられる。
【０１６３】
なお、該端末７００は方法５００の端末に対応でき、方法５００の端末によって実現される対応の操作を実現でき、簡潔さのために、ここで繰り返して説明しない。
【０１６４】
図８は本願の実施例のシステムチップ８００の構造模式図である。図８のシステムチップ８００は入力インターフェース８０１、出力インターフェース８０２、プロセッサ８０３及びメモリ８０４を備え、それらの間には内部の通信接続線を介して接続され、前記プロセッサ８０３は前記メモリ８０４におけるコードを実行することに用いられる。
【０１６５】
選択肢として、前記コードが実行される場合、前記プロセッサ８０３は方法実施例のネットワーク装置によって実行される方法を実現する。簡潔さのために、ここで繰り返して説明しない。
【０１６６】
選択肢として、前記コードが実行される場合、前記プロセッサ８０３は方法実施例の端末によって実行される方法を実現する。簡潔さのために、ここで繰り返して説明しない。
【０１６７】
図９は本願の実施例に係る通信装置９００の概略ブロック図である。図９に示すように、該通信装置９００はプロセッサ９１０とメモリ９２０とを備える。該メモリ９２０はプログラムコードを記憶でき、該プロセッサ９１０は該メモリ９２０に記憶されるプログラムコードを実行できる。
【０１６８】
選択肢として、図９に示すように、該通信装置９００は送受信機９３０を備えてもよく、プロセッサ９１０は送受信機９３０の外部通信を制御できる。
【０１６９】
選択肢として、該プロセッサ９１０はメモリ９２０に記憶されるプログラムコードを呼び出して、方法実施例のネットワーク装置の対応する操作を実行でき、簡潔さのために、ここで繰り返して説明しない。
【０１７０】
選択肢として、該プロセッサ９１０はメモリ９２０に記憶されるプログラムコードを呼び出して、方法実施例の端末の対応する操作を実行でき、簡潔さのために、ここで繰り返して説明しない。
【０１７１】
なお、本願の実施例のプロセッサは集積回路チップであってもよく、信号の処理能力を有する。実現過程で、上記方法実施例の各ステップはプロセッサにおけるハードウェアの集積論理回路又はソフトウェア形態の命令によって完了することができる。上記プロセッサは汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又は他のプログラマブルロジックデバイス、離散ゲート又はトランジスタロジックデバイス、個別ハードウェア部品であってもよい。本願の実施例に開示されている各方法、ステップ及びロジックブロック図を実現又は実行することができる。汎用プロセッサはマイクロプロセッサであってもよく、又は該プロセッサはいずれかの通常のプロセッサ等であってもよい。本願の実施例に開示されている方法のステップは、ハードウェアデコードプロセッサによって実行されて完了し、又はデコードプロセッサにおけるハードウェア及びソフトウェアモジュールの組み合わせによって実行されて完了するように直接に具現されてもよい。ソフトウェアモジュールはランダムメモリ、フラッシュメモリ、読み出し専用メモリ、プログラマブル読み出し専用メモリ又は電気的消去可能プログラマブルメモリ、レジスタ等の本分野の成熟した記憶媒体にあってもよい。該記憶媒体はメモリにあり、プロセッサはメモリにおける情報を読み取り、そのハードウェアと組み合わせて上記方法のステップを完了する。
【０１７２】
なお、本願の実施例のメモリは揮発性メモリ又は不揮発性メモリであってもよく、又は揮発性メモリ及び不揮発性メモリの両方を含んでもよい。不揮発性メモリは読み出し専用メモリ（Ｒｅａｄ−Ｏｎｌｙ  Ｍｅｍｏｒｙ、ＲＯＭ）、プログラマブルＲＯＭ（Ｐｒｏｇｒａｍｍａｂｌｅ  ＲＯＭ、ＰＲＯＭ）、消去可能ＰＲＯＭ（Ｅｒａｓａｂｌｅ  ＰＲＯＭ、ＥＰＲＯＭ）、電気的ＥＰＲＯＭ（Ｅｌｅｃｔｒｉｃａｌｌｙ  ＥＰＲＯＭ、ＥＥＰＲＯＭ）又はフラッシュメモリであってもよい。揮発性メモリは外部キャッシュとして使用されるランダムアクセスメモリ（Ｒａｎｄｏｍ  Ａｃｃｅｓｓ  Ｍｅｍｏｒｙ、ＲＡＭ）であってもよい。限定的な説明ではなく、例示的な説明によって、多くの形態のＲＡＭは利用可能であり、例えば、スタティックＲＡＭ（Ｓｔａｔｉｃ  ＲＡＭ、ＳＲＡＭ）、ダイナミックＲＡＭ（Ｄｙｎａｍｉｃ  ＲＡＭ、ＤＲＡＭ）、同期ＤＲＡＭ（Ｓｙｎｃｈｒｏｎｏｕｓ  ＤＲＡＭ、ＳＤＲＡＭ）、ダブルデータレートＳＤＲＡＭ（Ｄｏｕｂｌｅ  Ｄａｔａ  Ｒａｔｅ  ＳＤＲＡＭ、ＤＤＲ  ＳＤＲＡＭ）、強化ＳＤＲＡＭ（Ｅｎｈａｎｃｅｄ  ＳＤＲＡＭ、ＥＳＤＲＡＭ）、同期リンクＤＲＡＭ（Ｓｙｎｃｈｌｉｎｋ  ＤＲＡＭ、ＳＬＤＲＡＭ）及びダイレクトラムバスＲＡＭ（Ｄｉｒｅｃｔ  Ｒａｍｂｕｓ  ＲＡＭ、ＤＲ  ＲＡＭ）が挙げられる。なお、本明細書で説明されるシステム及び方法のメモリは、これらのメモリ及び任意の他の適切な種類のメモリを含むが、それらに限定されない。
【０１７３】
当業者であれば理解できるように、本明細書に開示されている実施例に説明された各例示的ユニット及びアルゴリズムステップは、電子ハードウェア、又はコンピュータソフトウェアと電子ハードウェアとの組み合わせで実現できる。これらの機能がハードウェアそれともソフトウェア形態で実行されるかは、技術案の特定応用及び設計制約条件に決められる。当業者は各特定の応用に対して異なる方法で説明された機能を実現することができるが、この実現は本願の範囲を超えると見なされるべきではない。
【０１７４】
当業者が明確に理解できるように、説明の便宜及び簡潔さのために、上記説明されたシステム、装置及びユニットの具体的な作動過程については、前述の方法実施例の対応する過程を参照でき、ここで繰り返して説明しない。
【０１７５】
理解されるように、本願のいくつかの実施例では、開示されたシステム、装置及び方法は他の方式で実現できる。例えば、上記説明された装置実施例は例示的なものに過ぎず、例えば、前記ユニットの分割はロジック機能の分割だけであり、実際の実現時に別の分割方法を有してもよく、例えば、複数のユニット又は構成要素を組み合わせてもよく、又は別のシステムに集積してもよく、又は一部の特徴を無視したり、実行しなかったりしてもよい。また、表示又は検討される相互結合又は直接結合又は通信接続はいくつかのインターフェース、装置又はユニットを介した間接結合又は通信接続であってもよく、電気的、機械的又は他の形態のものであってもよい。
【０１７６】
前記別々の部材として説明されるユニットは物理的に分離されてもよく、物理的に分離されなくてもよく、ユニットとして示される部材は物理ユニットであってもよく、物理ユニットでなくてもよく、即ち、１つの場所に位置してもよく、又は複数のネットワークユニットに分布してもよい。実際の需要に応じてそのうちの一部又は全部のユニットを選択して本実施例の技術案の目的を実現することができる。
【０１７７】
また、本願の各実施例の各機能ユニットは１つの処理ユニットに集積されてもよく、各ユニットは単独で物理的に存在してもよく、２つ以上のユニットは１つのユニットに集積されてもよい。
【０１７８】
前記機能は、ソフトウェア機能ユニットの形態で実現され、独立した製品として販売又は使用される場合、１つのコンピュータ可読記憶媒体に記憶されることができる。このような理解に基づいて、本願の技術案の本質又は従来技術に寄与する部分、又は該技術案の一部はソフトウェア製品の形態で実施することができ、該コンピュータソフトウェア製品は１つの記憶媒体に記憶され、１つのコンピュータ装置（パーソナルコンピュータ、サーバ、又はネットワーク装置等であってもよい）に本願の各実施例に記載の方法の全部又は一部のステップを実行させるための複数の命令を含む。前述の記憶媒体はＵディスク、モバイルディスク、読み出し専用メモリ（Ｒｅａｄ−Ｏｎｌｙ  Ｍｅｍｏｒｙ、）ＲＯＭ、ランダムアクセスメモリ（Ｒａｎｄｏｍ  Ａｃｃｅｓｓ  Ｍｅｍｏｒｙ、ＲＡＭ）、磁気ディスク又は光ディスク等のプログラムコードを記憶できる様々な媒体を含む。
【０１７９】
以上は本願の具体的な実施形態に過ぎず、本願の保護範囲を制限するためのものではなく、当業者が本願に開示された技術範囲内に容易に想到し得る変化や置換はいずれも本願の保護範囲内に含まれる。従って、本願の保護範囲は特許請求の範囲の保護範囲を根拠とすべきである。
【図１】
2021501489.tif 000003
【図２】
2021501489.tif 000004
【図３】
2021501489.tif 000005
【図４】
2021501489.tif 000006
【図５】
2021501489.tif 000007
【図６】
2021501489.tif 000008
【図７】
2021501489.tif 000009
【図８】
2021501489.tif 000010
【図９】
2021501489.tif 000011
【手続補正書】
【提出日】令和2年8月27日(2020.8.27)
【手続補正１】
【補正対象書類名】明細書
【補正対象項目名】００４３
【補正方法】変更
【補正の内容】
【００４３】
従って、本願の実施例では、端末はネットワーク装置から送信された、該端末がアンテナの切り替えを行うことを指示するための第１情報を受信した後、必ずアンテナを切り替えることではなく、アップリンク信号の伝送を行う時にアップリンクアンテナの切り替えを行うか否かを決定することができ、現在の通信シーンに基づいてアンテナを切り替えるか切り替えないかを選択でき、アンテナの切り替えを５Ｇシステムの柔軟な伝送に適合させることができる。
【手続補正２】
【補正対象書類名】明細書
【補正対象項目名】００６０
【補正方法】変更
【補正の内容】
【００６０】
図１は本願の実施例に適用する無線通信システム１００を示す。該無線通信システム１００はネットワーク装置１１０を備えてもよい。ネットワーク装置１１０は端末装置と通信する装置であってもよい。ネットワーク装置１１０は特定の地理的エリアに通信カバレッジを提供できるとともに、該カバレッジエリア内にある端末装置（例えば、ＵＥ）と通信できる。選択肢として、該ネットワーク装置１１０はＧＳＭシステム又はＣＤＭＡシステムにおける基地局（Ｂａｓｅ  Ｔｒａｎｓｃｅｉｖｅｒ  Ｓｔａｔｉｏｎ、ＢＴＳ）であってもよく、ＷＣＤＭＡシステムにおける基地局（ＮｏｄｅＢ、ＮＢ）であってもよく、更にＬＴＥシステムにおける進化型基地局（Ｅｖｏｌｕｔｉｏｎａｌ  Ｎｏｄｅ  Ｂ、ｅＮＢ又はｅＮｏｄｅＢ）であってもよく、又はクラウド無線アクセスネットワーク（Ｃｌｏｕｄ  Ｒａｄｉｏ  Ａｃｃｅｓｓ  Ｎｅｔｗｏｒｋ、ＣＲＡＮ）における無線コントローラであってもよく、又は該ネットワーク装置は中継局、アクセスポイント、車載装置、ウェアラブルデバイス、将来５Ｇネットワークにおけるネットワーク側装置又は将来の進化型公衆陸上移動体ネットワーク（Ｐｕｂｌｉｃ  Ｌａｎｄ  Ｍｏｂｉｌｅ  Ｎｅｔｗｏｒｋ、ＰＬＭＮ）におけるネットワーク装置等であってもよい。
【手続補正３】
【補正対象書類名】明細書
【補正対象項目名】０１５１
【補正方法】変更
【補正の内容】
【０１５１】
従って、本願の実施例では、端末はネットワーク装置から送信された、該端末がアンテナの切り替えを行うことを指示するための第１情報を受信した後、必ずアンテナを切り替えることではなく、アップリンク信号の伝送を行う時にアップリンクアンテナの切り替えを行うか否かを決定することができ、現在の通信シーンに基づいてアンテナを切り替えるか切り替えないかを選択でき、アンテナの切り替えを５Ｇシステムの柔軟な伝送に適合させることができる。
【手続補正４】
【補正対象書類名】特許請求の範囲
【補正対象項目名】全文
【補正方法】変更
【補正の内容】
【特許請求の範囲】
【請求項１】
端末はネットワーク装置から送信された、前記端末がアップリンク送信アンテナの切り替えを行うことを指示するための第１情報を受信することと、
前記第１情報に応答して、前記端末は前記アップリンク送信アンテナの切り替えを行うか否かを決定することと、を含むことを特徴とする無線通信方法。
【請求項２】
前記端末は前記アップリンク送信アンテナの切り替えを行うか否かを決定することは、
前記端末は、前記アップリンク送信アンテナを切り替える時間間隔閾値、前記端末がアップリンク送信アンテナで信号を送信する時に用いるベースパラメータセット及びスロット又はミニスロットの構成のうちの少なくとも１つに基づいて、前記アップリンク送信アンテナの切り替えを行うか否かを決定することを含むことを特徴とする請求項１に記載の方法。
【請求項３】
前記端末は前記アップリンク送信アンテナを切り替える時間間隔閾値、前記端末がアップリンク送信アンテナで信号を送信する時に用いるベースパラメータセット及びスロット又はミニスロットの構成のうちの少なくとも１つに基づいて、前記アップリンク送信アンテナの切り替えを行うか否かを決定することは、
前記ベースパラメータセットに含まれるサブキャリア間隔及び／又はシンボル長さに基づいて、前記アップリンク送信アンテナの切り替えを行うか否かを決定することを含むことを特徴とする請求項２に記載の方法。
【請求項４】
前記端末は前記アップリンク送信アンテナを切り替える時間間隔閾値、前記端末がアップリンク送信アンテナで信号を送信する時に用いるベースパラメータセット及びスロット又はミニスロットの構成のうちの少なくとも１つに基づいて、前記アップリンク送信アンテナの切り替えを行うか否かを決定することは、
第１時間長さが前記時間間隔閾値以上である場合、前記アップリンク送信アンテナの切り替えを行うことを決定すること、又は、
前記第１時間長さが前記時間間隔閾値より小さい場合、前記アップリンク送信アンテナの切り替えを行わないことを決定し、前記第１時間長さは切り替え時間ノードの前の時間長さ、切り替え時間ノードの後の時間長さ又は切り替え時間ノードの前と後の時間長さの和に等しいことを含むことを特徴とする請求項２に記載の方法。
【請求項５】
ネットワーク装置であって、処理ユニットと通信ユニットとを備え、
前記処理ユニットは、端末がアップリンク送信アンテナを切り替える時間間隔閾値、前記端末がアップリンク送信アンテナで信号を送信する時に用いるベースパラメータセット及びスロット又はミニスロットの構成のうちの少なくとも１つを決定することに用いられ、
前記通信ユニットは、前記時間間隔閾値、前記ベースパラメータセット及び前記スロット又はミニスロットの構成のうちの少なくとも１つに基づいて第１情報を送信して、前記端末が前記アップリンク送信アンテナの切り替えを行うか行わないかを指示することに用いられることを特徴とするネットワーク装置。
【請求項６】
前記通信ユニットは更に、
前記ベースパラメータセットに含まれるサブキャリア間隔及び／又はシンボル長さに基づいて、前記第１情報を送信することに用いられることを特徴とする請求項５に記載の装置。
【請求項７】
前記通信ユニットは更に、
前記スロット又はミニスロットの長さが第３閾値以上である場合、前記アップリンク送信アンテナの切り替えを行うことを指示する前記第１情報を送信することに用いられることを特徴とする請求項５に記載の装置。
【請求項８】
前記通信ユニットは更に、
前記スロット又はミニスロットの長さが第３閾値より小さい場合、前記アップリンク送信アンテナの切り替えを行わないことを指示する前記第１情報を送信することに用いられることを特徴とする請求項５に記載の装置。
【請求項９】
前記処理ユニットは更に、
時間間隔閾値集合から前記時間間隔閾値を選択することに用いられることを特徴とする請求項５に記載の装置。
【請求項１０】
前記処理ユニットは更に、
前記端末がアップリンク送信アンテナで信号を送信する時に用いるベースパラメータセットに基づいて、前記時間間隔閾値集合から前記時間間隔閾値を選択することに用いられることを特徴とする請求項９に記載の装置。
【請求項１１】
端末であって、通信ユニットと処理ユニットとを備え、
前記通信ユニットは、ネットワーク装置から送信された、前記端末がアップリンク送信アンテナの切り替えを行うことを指示するための第１情報を受信することに用いられ、
前記処理ユニットは、前記第１情報に応答して、前記アップリンク送信アンテナの切り替えを行うか否かを決定することに用いられることを特徴とする端末。
【請求項１２】
前記処理ユニットは更に、
前記アップリンク送信アンテナを切り替える時間間隔閾値、前記端末がアップリンク送信アンテナで信号を送信する時に用いるベースパラメータセット及びスロット又はミニスロットの構成のうちの少なくとも１つに基づいて、前記アップリンク送信アンテナの切り替えを行うか否かを決定することに用いられることを特徴とする請求項１１に記載の端末。
【請求項１３】
前記処理ユニットは更に、
前記ベースパラメータセットに含まれるサブキャリア間隔及び／又はシンボル長さに基づいて、前記アップリンク送信アンテナの切り替えを行うか否かを決定することに用いられることを特徴とする請求項１２に記載の端末。
【請求項１４】
前記処理ユニットは更に、
第１時間長さが前記時間間隔閾値以上である場合、前記アップリンク送信アンテナの切り替えを行うことを決定すること、又は、
前記第１時間長さが前記時間間隔閾値より小さい場合、前記アップリンク送信アンテナの切り替えを行わないことを決定し、前記第１時間長さは切り替え時間ノードの前の時間長さ、切り替え時間ノードの後の時間長さ又は切り替え時間ノードの前と後の時間長さの和に等しいことに用いられることを特徴とする請求項１２に記載の端末。
【手続補正５】
【補正対象書類名】図面
【補正対象項目名】図３
【補正方法】変更
【補正の内容】
【図３】
2021501489.tif 000012
【国際調査報告】
2021501489.tif 000013
2021501489.tif 000014
2021501489.tif 000015
2021501489.tif 000016